(57)【特許請求の範囲】
【請求項１】
表面に防水シートが設けられる一方の建築用パネルの前記表面に、表面に防水材が設けられる他方の建築用パネルの端部を接合して住宅等の建物を施工する建物の施工方法において、
前記一方の建築用パネルの前記防水シートのうち、前記一方の建築用パネルに対して他方の建築用パネルが接合される部分に対応する位置に切り込みを形成し、
前記一方の建築用パネルの表面に前記他方の建築用パネルの端部を接合した際に、
これら一方の建築用パネルと他方の建築用パネルとの接合部で、前記他方の建築用パネルの前記防水材の一部を前記切り込みから潜り込ませて、当該防水材を前記一方の建築用パネルの表面と前記他方の建築用パネルの表面とに跨らせることを特徴とする建物の施工方法。
【請求項２】
請求項１に記載の建物の施工方法において、
前記一方の建築用パネルは、住宅等の建物の外壁を形成する建築用壁パネルであり、
前記他方の建築用パネルは、前記建築用壁パネルの表面から張り出すようにして該建築用壁パネルに接合される建築用屋根パネルであり、
前記建築用壁パネルの表面に設けられる防水シートは、前記建築用壁パネルの表面のうち、前記建築用屋根パネルが接合される部分を除く部分に貼り付けられており、
前記建築用屋根パネルの表面に設けられる防水材は、前記建築用壁パネルの表面側にはみ出し、かつ該はみ出し部分の上部が前記建築用屋根パネルの上面よりも上方に位置するようにして、前記建築用屋根パネルの基端部の側端に貼り付けられる耐水シートであり、
前記建築用壁パネルの防水シートのうち、前記建築用屋根パネルの耐水シートのはみ出し部分の上部に対応する位置を切り込むことによって、前記耐水シートのはみ出し部分の上部に対応する位置の前記建築用壁パネルの表面を露出させ、
前記建築用壁パネルに対して建築用屋根パネルを接合し、
その後、これら建築用壁パネルと建築用屋根パネルとの接合部で、前記耐水シートのはみ出し部分の上部を前記防水シートの切り込みから該防水シートの裏側に潜り込ませながら、前記耐水シートを前記建築用屋根パネルの基端部の側端に貼り付けるとともに、この耐水シートのはみ出し部分を前記防水シートの表面に貼り付けることを特徴とする建物の施工方法。
【請求項３】
請求項１に記載の建物の施工方法において、
前記一方の建築用パネルは、住宅等の建物の外壁を形成する建築用壁パネルであり、
前記他方の建築用パネルは、前記一方の建築用壁パネルの表面から突出するようにして該一方の建築用壁パネルに接合されるとともに、上端部が前記一方の建築用壁パネルの上端部よりも下方に位置する建築用壁パネルであり、
前記他方の建築用壁パネルの表面に設けられる防水材は、防水シートと、前記一方の建築用壁パネルの表面側にはみ出し、かつ該はみ出し部分の上部が前記他方の建築用壁パネルの上面よりも上方に位置するようにして、前記他方の建築用壁パネルの基端部の上端に取り付けられる止水プレートとであり、
前記一方の建築用壁パネルの防水シートのうち、前記一方の建築用壁パネルに対して他方の建築用壁パネルが接合される部分に対応する位置を切り込むとともに、該一方の防水シートをめくって、前記他方の建築用壁パネルが接合される部分を露出させ、前記他方の建築用壁パネルの防水シートをめくって、前記他方の建築用壁パネルの基端部の表面を露出させ、
さらに、前記一方の建築用壁パネルの防水シートのうち、前記止水プレートのはみ出し部分の上部に対応する位置を切り込むことによって、前記止水プレートのはみ出し部分の上部に対応する位置の前記一方の建築用壁パネルの表面を露出させ、
前記一方の建築用壁パネルに対して他方の建築用壁パネルを接合し、
その後、これら一方の建築用壁パネルと他方の建築用パネルとの接合部で、めくっておいた一方および他方の建築用壁パネルの防水シートを戻しながら、これら一方の防水シートと他方の防水シートとを重ね合わせ、
その後、これら一方の建築用壁パネルと他方の建築用壁パネルとの接合部で、前記止水プレートのはみ出し部分の上部を前記防水シートの切り込みから該防水シートの裏側に潜り込ませながら、前記止水プレートを前記他方の建築用壁パネルの基端部の上端に取り付けることを特徴とする建物の施工方法。
【請求項４】
請求項１に記載の建物の施工方法において、
前記一方の建築用パネルは、住宅等の建物の外壁を形成する建築用壁パネルであり、
前記他方の建築用パネルは、前記一方の建築用壁パネルの表面から突出するようにして該一方の建築用壁パネルに接合されるとともに、下端部が前記一方の建築用壁パネルの下端部よりも上方に位置する建築用壁パネルであり、
前記他方の建築用壁パネルの表面に設けられる防水材は、防水シートと、前記一方の建築用壁パネルの表面側にはみ出し、かつ該はみ出し部分の下部が前記他方の建築用壁パネルの下面よりも下方に位置するようにして、前記他方の建築用壁パネルの基端部の下端に取り付けられる止水プレートとであり、
前記一方の建築用壁パネルの防水シートをめくって、前記一方の建築用壁パネルの表面のうち、該一方の建築用壁パネルに対して他方の建築用壁パネルが接合される部分を露出させるとともに、前記他方の建築用壁パネルの防水シートをめくって、前記他方の建築用壁パネルの基端部の表面を露出させ、
前記一方の建築用壁パネルに対して他方の建築用壁パネルを接合し、
その後、これら一方の建築用壁パネルと他方の建築用壁パネルとの接合部で、前記止水プレートを、この止水プレートのはみ出し部分を前記一方の建築用壁パネルの露出した表面に当接させるとともに、このはみ出し部分の下部を前記一方の建築用壁パネルの防水シートの表面に当接させながら、前記他方の建築用壁パネルの基端部の下端に取り付け、
その後、前記一方の建築用壁パネルと他方の建築用パネルとの接合部で、めくっておいた一方および他方の建築用壁パネルの防水シートを戻しながら、これら一方の防水シートと他方の防水シートとを重ね合わせ、これら一方および他方の防水シートを前記止水プレートに被せることを特徴とする建物の施工方法。
【発明の詳細な説明】
【技術分野】
【０００１】
本発明は、表面に防水シートが設けられる一方の建築用パネルの表面に、表面に防水材が設けられる他方の建築用パネルの端部を接合して住宅等の建物を施工する建物の施工方法に関する。
【背景技術】
【０００２】
近年、住宅等の建物の構築についてはその工業化が進み、例えば壁や床、屋根といった構成要素を予め工場にてパネル化しておき、施工現場でこれらの建築用パネルを組み立てることにより住宅を構築するパネル工法が一部に採用されている。
また、このようなパネル工法において、建物の構造壁となる壁パネルの外面側に、予め防水シート等の防水材や外装材を壁パネルの外面側を覆うようにして設けておき、このような防水材付き、外装材付きの壁パネルを現場へ搬送することで、現場での作業を省略し、施工効率を向上させる技術が知られている（例えば、特許文献１参照）。
【先行技術文献】
【特許文献】
【０００３】
【特許文献１】特開平０７−１５８２２８号公報
【発明の概要】
【発明が解決しようとする課題】
【０００４】
ところで、上述のような防水材を建築用パネルに止着する際は釘等の止着材が用いられるが、止着材の打ち込みによって防水材に孔が開いてしまい、雨水等の防水材の裏側への浸入を防ぎにくくなる。このため、特にパネル同士の接合部における防水性の向上が強く望まれていた。
また、住宅等の建物において、壁パネルや屋根パネル等の建築用パネル同士を接合して建築される部分は、例えば、外壁の平らな部分、建物のコーナ部やバルコニーが設けられる部分、庇や下屋が設けられる部分など、様々な箇所がある。そこで、外壁の平らな部分を形成する建築用パネル同士の接合部や、建物のコーナ部やバルコニーが設けられる部分、また庇や下屋が設けられる部分などのように、建築用パネル同士を互いに交差させて接合する接合部にも適用できるような防水技術の開発が望まれていた。
【０００５】
本発明の課題は、建築用パネルを用いて住宅等の建物を施工するに際し、建築用パネル同士の接合部において優れた防水性を発揮することが可能な建物の施工方法を提供することを目的とする。
【課題を解決するための手段】
【０００６】
請求項１に記載の発明は、例えば図４〜図１６に示すように、表面に防水シート４１（５１，６１，７１）が設けられる一方の建築用パネル４０（５０，６０，７０）の前記表面に、表面に防水材４３（５３，６３，７３）が設けられる他方の建築用パネル４２（５２，６２，７２）の端部を接合して住宅等の建物１を施工する建物１の施工方法において、
前記一方の建築用パネル４０（５０，６０，７０）の前記防水シート４１（５１，６１，７１）のうち、前記一方の建築用パネル４０（５０，６０，７０）に対して他方の建築用パネル４２（５２，６２，７２）が接合される部分に対応する位置に切り込み４１ａ（５１ａ，６１ａ〜６１ｄ，７１ａ，７１ｂ）を形成し、
前記一方の建築用パネル４０（５０，６０，７０）の表面に前記他方の建築用パネル４２（５２，６２，７２）の端部を接合した際に、
これら一方の建築用パネル４０（５０，６０，７０）と他方の建築用パネル４２（５２，６２，７２）との接合部で、前記他方の建築用パネル４２（５２，６２，７２）の前記防水材４３（５３，６３，７３）の一部を前記切り込み４１ａ（５１ａ，６１ａ〜６１ｄ，７１ａ，７１ｂ）から潜り込ませて、当該防水材４３（５３，６３，７３）を前記一方の建築用パネル４０（５０，６０，７０）の表面と前記他方の建築用パネル４２（５２，６２，７２）の表面とに跨らせることを特徴とする。
【０００７】
請求項１に記載の発明によれば、前記一方の建築用パネル４０（５０，６０，７０）と前記他方の建築用パネル４２（５２，６２，７２）との接合部で、前記他方の建築用パネル４２（５２，６２，７２）の前記防水材４３（５３，６３，７３）の一部を前記切り込み４１ａ（５１ａ，６１ａ〜６１ｄ，７１ａ，７１ｂ）から潜り込ませて、当該防水材４３（５３，６３，７３）を前記一方の建築用パネル４０（５０，６０，７０）の表面と前記他方の建築用パネル４２（５２，６２，７２）の表面とに跨らせるので、該接合部を、少なくとも二重に防水できる。これによって、前記一方の建築用パネル４０（５０，６０，７０）と他方の建築用パネル４２（５２，６２，７２）との接合部において優れた防水性を発揮できる。
さらに、前記他方の建築用パネル４２（５２，６２，７２）の防水材４３（５３，６３，７３）の取り付け後に、当該防水材４３（５３，６３，７３）の取り付け箇所に、防水シートを再度重ねる作業をする必要がなく、施工性に優れる。
【０００８】
請求項２に記載の発明は、例えば図４〜図１０に示すように、請求項１に記載の建物１の施工方法において、
前記一方の建築用パネル４０（５０）は、住宅等の建物１の外壁を形成する建築用壁パネルであり、
前記他方の建築用パネル４２（５２）は、前記建築用壁パネル４０（５０）の表面から張り出すようにして該建築用壁パネル４０（５０）に接合される建築用屋根パネルであり、
前記建築用壁パネル４０（５０）の表面に設けられる防水シート４１（５１）は、前記建築用壁パネル４０（５０）の表面のうち、前記建築用屋根パネル４２（５２）が接合される部分を除く部分に貼り付けられており、
前記建築用屋根パネル４２（５２）の表面に設けられる防水材４３（５３）は、前記建築用壁パネル４０（５０）の表面側にはみ出し、かつ該はみ出し部分４３ａ（５３ａ）の上部４３ｂ（５３ｂ）が前記建築用屋根パネル４２（５２）の上面よりも上方に位置するようにして、前記建築用屋根パネル４２（５２）の基端部の側端に貼り付けられる耐水シートであり、
前記建築用壁パネル４０（５０）の防水シート４１（５１）のうち、前記建築用屋根パネル４２（５２）の耐水シート４３（５３）がはみ出し部分４３ａ（５３ａ）の上部４３ｂ（５３ｂ）に対応する位置を切り込むことによって（例えば、切り込み４１ａ，５１ａ）、前記耐水シート４３（５３）のはみ出し部分４３ａ（５３ａ）の上部４３ｂ（５３ｂ）に対応する位置の前記建築用壁パネル４０（５０）の表面を露出させ、
前記建築用壁パネル４０（５０）に対して建築用屋根パネル４２（５２）を接合し、
その後、これら建築用壁パネル４０（５０）と建築用屋根パネル４２（５２）との接合部で、前記耐水シート４３（５３）のはみ出し部分４３ａ（５３ａ）の上部４３ｂ（５３ｂ）を前記防水シート４１（５１）の切り込み４１ａ（５１ａ）から該防水シート４１（５１）の裏側に潜り込ませながら、前記耐水シート４３（５３）を前記建築用屋根パネル４２（５２）の基端部の側端に貼り付けるとともに、この耐水シート４３（５３）のはみ出し部分４３ａ（５３ａ）を前記防水シート４１（５１）の表面に貼り付けることを特徴とする。
【０００９】
請求項２に記載の発明によれば、前記防水シート４１（５１）が貼り付けられていない建築用壁パネル４０（５０）の表面に対して、前記建築用屋根パネル４２（５２）を接合するので、これら建築用壁パネル４０（５０）と建築用屋根パネル４２（５２）とを確実に接合できる。
その後、これら建築用壁パネル４０（５０）と建築用屋根パネル４２（５２）との接合部で、前記耐水シート４３（５３）のはみ出し部分４３ａ（５３ａ）の上部４３ｂ（５３ｂ）を前記防水シート４１（５１）の切り込み４１ａ（５１ａ）から該防水シート４１（５１）の裏側に潜り込ませながら、前記耐水シート４３（５３）を前記建築用屋根パネル４２（５２）の基端部の側端に貼り付けるとともに、この耐水シート４３（５３）のはみ出し部分４３ａ（５３ａ）を前記防水シート４１（５１）の表面に貼り付けるので、該接合部を、少なくとも二重に防水できる。これによって、前記建築用壁パネル４０（５０）と他方の建築用パネル４２（５２）との接合部において優れた防水性を発揮できる。
また、このような方法で、前記一方の建築用パネル４０（５０）と他方の建築用パネル４２（５２）との接合部を防水できるので、これら一方の建築用壁パネル４０（５０）に対して他方の建築用壁パネル４２（５２）を接合して形成される庇や下屋等が設けられる部分にも確実に適用することができる。
【００１０】
請求項３に記載の発明は、例えば図１１〜図１４に示すように、請求項１に記載の建物１の施工方法において、
前記一方の建築用パネル６０は、住宅等の建物１の外壁を形成する建築用壁パネルであり、
前記他方の建築用パネル６２は、前記一方の建築用壁パネル６０の表面から突出するようにして該一方の建築用壁パネル６０に接合されるとともに、上端部が前記一方の建築用壁パネル６０の上端部よりも下方に位置する建築用壁パネルであり、
前記他方の建築用壁パネル６２の表面に設けられる防水材６３は、防水シート６３ａと、前記一方の建築用壁パネル６０の表面側にはみ出し、かつ該はみ出し部分６３ｄの上部６３ｅが前記他方の建築用壁パネル６２の上面よりも上方に位置するようにして、前記他方の建築用壁パネル６２の基端部の上端に取り付けられる止水プレート６３ｂとであり、
前記一方の建築用壁パネル６０の防水シート６１のうち、前記一方の建築用壁パネル６０に対して他方の建築用壁パネル６２が接合される部分に対応する位置を切り込むとともに、該一方の防水シート６１をめくって、前記他方の建築用壁パネル６２が接合される部分を露出させ、前記他方の建築用壁パネル６２の防水シート６３ａをめくって、前記他方の建築用壁パネル６２の基端部の表面を露出させ、
さらに、前記一方の建築用壁パネル６０の防水シート６１のうち、前記止水プレート６３ｂのはみ出し部分６３ｄの上部６３ｅに対応する位置を切り込むことによって、前記止水プレート６３ｂのはみ出し部分６３ｄの上部６３ｅに対応する位置の前記一方の建築用壁パネル６０の表面を露出させ、
前記一方の建築用壁パネル６０に対して他方の建築用壁パネル６２を接合し、
その後、これら一方の建築用壁パネル６０と他方の建築用パネル６２との接合部で、めくっておいた一方および他方の建築用壁パネル６０，６２の防水シート６１，６３ａを戻しながら、これら一方の防水シート６１と他方の防水シート６３ａとを重ね合わせ、
その後、これら一方の建築用壁パネル６０と他方の建築用壁パネル６２との接合部で、前記止水プレート６３ｂのはみ出し部分６３ｄの上部６３ｅを前記防水シート６１の切り込み（例えば第２切り込み６１ｂ）から該防水シート６１の裏側に潜り込ませながら、前記止水プレート６３ｂを前記他方の建築用壁パネル６２の基端部の上端に取り付けることを特徴とする。
【００１１】
請求項３に記載の発明によれば、前記一方の建築用壁パネル６０の防水シート６１のうち、前記一方の建築用壁パネル６０に対して他方の建築用壁パネル６２が接合される部分に対応する位置を切り込むとともに、該一方の防水シート６１をめくって、前記他方の建築用壁パネル６２が接合される部分を露出させ、前記他方の建築用壁パネル６２の防水シート６３ａをめくって、前記他方の建築用壁パネル６２の基端部の表面を露出させてから、前記一方の建築用壁パネル６０に対して他方の建築用壁パネル６２を接合するので、これら一方の建築用壁パネル６０と他方の建築用パネル６２とを確実に接合できる。
その後、これら一方の建築用壁パネル６０と他方の建築用パネル６２との接合部で、めくっておいた一方および他方の建築用壁パネル６０，６２の防水シート６１，６３ａを戻しながら、これら一方の防水シート６１と他方の防水シート６３ａとを重ね合わせるので、該接合部を、少なくとも二重に防水できる。
さらに、これら一方の建築用壁パネル６０と他方の建築用壁パネル６２との接合部で、前記止水プレート６３ｂのはみ出し部分６３ｄの上部６３ｅを前記防水シート６１の切り込み（例えば第２切り込み６１ｂ）から該防水シート６１の裏側に潜り込ませながら、前記止水プレート６３ｂを前記他方の建築用壁パネル６２の基端部の上端に取り付けるので、この他方の建築用壁パネル６２の基端部の上端と前記一方の建築用壁パネル６０の防水シート６１との間を、少なくとも二重に防水できる。
これによって、前記一方の建築用壁パネル６０と他方の建築用パネル６２との接合部において優れた防水性を発揮できる。
また、このような方法で、前記一方の建築用パネル６０と他方の建築用パネル６２との接合部を防水できるので、これら一方の建築用壁パネル６０に対して他方の建築用壁パネル６２を接合して形成される手摺壁や袖壁等が設けられる部分にも確実に適用することができる。
【００１２】
請求項４に記載の発明は、例えば図１５および図１６に示すように、請求項１に記載の建物１の施工方法において、
前記一方の建築用パネル７０は、住宅等の建物１の外壁を形成する建築用壁パネルであり、
前記他方の建築用パネル７２は、前記一方の建築用壁パネル７０の表面から突出するようにして該一方の建築用壁パネル７０に接合されるとともに、下端部が前記一方の建築用壁パネル７０の下端部よりも上方に位置する建築用壁パネルであり、
前記他方の建築用壁パネル７２の表面に設けられる防水材７３は、防水シート７３ａと、前記一方の建築用壁パネル７０の表面側にはみ出し、かつ該はみ出し部分７３ｄの下部７３ｅが前記他方の建築用壁パネル７２の下面よりも下方に位置するようにして、前記他方の建築用壁パネル７２の基端部の下端に取り付けられる止水プレート７３ｂとであり、
前記一方の建築用壁パネル７０の防水シート７１をめくって、前記一方の建築用壁パネル７０の表面のうち、該一方の建築用壁パネル７０に対して他方の建築用壁パネル７２が接合される部分を露出させるとともに、前記他方の建築用壁パネル７２の防水シート７３ａをめくって、前記他方の建築用壁パネル７２の基端部の表面を露出させ、
前記一方の建築用壁パネル７０に対して他方の建築用壁パネル７２を接合し、
その後、これら一方の建築用壁パネル７０と他方の建築用壁パネル７２との接合部で、前記止水プレート７３ｂを、この止水プレート７３ｂのはみ出し部分７３ｄを前記一方の建築用壁パネル７０の露出した表面に当接させるとともに、このはみ出し部分７３ｄの下部７３ｅを前記一方の建築用壁パネル７０の防水シート７１の表面に当接させながら、前記他方の建築用壁パネル７２の基端部の下端に取り付け、
その後、前記一方の建築用壁パネル７０と他方の建築用パネル７２との接合部で、めくっておいた一方および他方の建築用壁パネル７０，７２の防水シート７１，７３ａを戻しながら、これら一方の防水シート７１と他方の防水シート７３ａとを重ね合わせ、これら一方および他方の防水シート７１，７３ａを前記止水プレート７３ｂに被せることを特徴とする。
【００１３】
請求項４に記載の発明によれば、前記一方の建築用壁パネル７０の防水シート７１をめくって、前記一方の建築用壁パネル７０の表面のうち、該一方の建築用壁パネル７０に対して他方の建築用壁パネル７２が接合される部分を露出させるとともに、前記他方の建築用壁パネル７２の防水シート７３ａをめくって、前記他方の建築用壁パネル７２の基端部の表面を露出させてから、前記一方の建築用壁パネル７０に対して他方の建築用壁パネル７２を接合するので、これら一方の建築用壁パネル７０と他方の建築用パネル７２とを確実に接合できる。
その後、これら一方の建築用壁パネル７０と他方の建築用壁パネル７２との接合部で、前記止水プレート７３ｂを、この止水プレート７３ｂのはみ出し部分７３ｄを前記一方の建築用壁パネル７０の露出した表面に当接させるとともに、このはみ出し部分７３ｄの下部７３ｅを前記一方の建築用壁パネル７０の防水シート７１の表面に当接させながら、前記他方の建築用壁パネル７２の基端部の下端に取り付けるので、この他方の建築用壁パネル７２の基端部の下端と前記一方の建築用壁パネル７０の防水シート７１との間を、少なくとも二重に防水できる。
さらに、前記一方の建築用壁パネル７０と他方の建築用パネル７２との接合部で、めくっておいた一方および他方の建築用壁パネル７０，７２の防水シート７１，７３ａを戻しながら、これら一方の防水シート７１と他方の防水シート７３ａとを重ね合わせ、これら一方および他方の防水シート７１，７３ａを前記止水プレート７３ｂに被せるので、該接合部を、少なくとも二重に防水できる。
これによって、前記一方の建築用壁パネル７０と他方の建築用パネル７２との接合部において優れた防水性を発揮できる。
また、このような方法で、前記一方の建築用パネル７０と他方の建築用パネル７２との接合部を防水できるので、これら一方の建築用壁パネル７０に対して他方の建築用壁パネル７２を接合して形成される下がり壁や袖壁等が設けられる部分にも確実に適用することができる。
【発明の効果】
【００１４】
本発明によれば、建築用パネルを用いて住宅等の建物を施工するに際し、建築用パネル同士の接合部において優れた防水性を発揮することが可能となる。
【図面の簡単な説明】
【００１５】
【図１】第１の実施の形態に係る建物の施工方法を説明する斜視図である。
【図２】第２の実施の形態に係る建物の施工方法を説明する斜視図である。
【図３】第３の実施の形態に係る建物の施工方法を説明する斜視図である。
【図４】第４の実施の形態に係る建物の施工方法を説明する斜視図であり、施工手順の一つを示すものである。
【図５】図４に示す建築用屋根パネルに貼り付けられる耐水シートの実施の形態を示す斜視図である。
【図６】第４の実施の形態に係る建物の施工方法を説明する斜視図であり、施工手順の一つを示すものである。
【図７】第４の実施の形態に係る建物の施工方法を説明する斜視図であり、施工手順の一つを示すものである。
【図８】第５の実施の形態に係る建物の施工方法を説明する斜視図であり、施工手順の一つを示すものである。
【図９】図８に示す建築用屋根パネルに貼り付けられる耐水シートの実施の形態を示す斜視図である。
【図１０】第５の実施の形態に係る建物の施工方法を説明する斜視図であり、施工手順の一つを示すものである。
【図１１】第６の実施の形態に係る建物の施工方法を説明する斜視図であり、施工手順の一つを示すものである。
【図１２】第６の実施の形態に係る建物の施工方法を説明する斜視図であり、施工手順の一つを示すものである。
【図１３】図１２に示す他方の建築用壁パネルの基端部の上端に取り付けられる止水プレートの実施の形態を示す斜視図である。
【図１４】第６の実施の形態に係る建物の施工方法を説明する斜視図であり、施工手順の一つを示すものである。
【図１５】第７の実施の形態に係る建物の施工方法を説明する斜視図であり、施工手順の一つを示すものである。
【図１６】第７の実施の形態に係る建物の施工方法を説明する斜視図であり、施工手順の一つを示すものである。
【発明を実施するための形態】
【００１６】
以下、図面を参照して本発明の建物の施工方法について、第１〜第７の実施の形態まで説明する。
なお、第２の実施の形態以降の各実施の形態では、便宜上、既述した実施の形態とは異なる構成部分のみについて説明する。
【００１７】
本発明の実施の形態の建物の施工方法によって建築される住宅等の建物１は、壁や床、屋根といった建物の構成要素を予め工場にてパネル化しておき、施工現場でこれらの建築用パネルを組み立てて構築するパネル工法で構築されるものである。また、その他、壁式工法の木造、鉄骨造、鉄筋コンクリート造等の建物にも適用することができる。
ここで、建築用パネルとは、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。
また、その内部中空な部分には、通常、グラスウールやロックウール等の断熱材が装填されるものである。
【００１８】
また、一方の建築用パネルと他方の建築用パネルとを接合する際は、これら一方の建築用パネルと他方の建築用パネルとが当接する面に接着剤を塗布して、これら一方の建築用パネルと他方の建築用パネルとを接着したり、一方の建築用パネルから他方の建築用パネルに向かって釘等の止着材を打ち込んだり、他方の建築用パネルから一方の建築用パネルに向かって釘等の止着材を打ち込んだりする方法が採られる。
【００１９】
さらに、建築用壁パネルにおいては、屋外に面して配置される面材の外側面に、雨水等の浸入を防止する防水シート等の防水材（後述する）が貼り付けられる。また、建築用屋根パネルにおいては、該建築用屋根パネルの上面側に貼設された面材の上面にルーフィング等の防水材が貼り付けられる。
【００２０】
なお、建築用壁パネルの外側面に貼り付けられる防水シートとしては、例えば、商品名「タイベック（デュポン社製）」等を採用できる。このような防水シートによれば、防水シートの屋内側からの湿気を屋外側へ放散して壁体構造の内部に結露が生じさせないようにしながら、屋外からの雨水等の浸入を防止でき、壁体構造を保護できる。
【００２１】
また、建築用パネル同士の接続部分には、上述の防水シートとは異なる防水材が設けられる場合がある。例えば、建築用壁パネルと、この建築用壁パネルの表面から張り出すようにして該建築用壁パネルに接合される建築用屋根パネルとの取り合い部分には耐水シート（後述する）が貼り付けられたり、外壁を形成する建築用壁パネルと、バルコニーの手摺壁を形成する建築用壁パネルとの取り合い部分には止水プレート（後述する）が取り付けられたりする。
【００２２】
以上のような、表面に防水材が設けられる一方の建築用パネルと、表面に防水材が設けられる他方の建築用パネルとを接合して住宅等の建物１を施工する際は、一方の建築用パネルの表面のうち、一方の建築用パネルに対して他方の建築用パネルが接合される部分を露出させ、露出した一方の建築用パネルの表面に他方の建築用パネルを接合し、これら一方の建築用パネルと他方の建築用パネルとの接合部で、一方の建築用パネルの防水材と他方の建築用パネルの防水材とを重ね合わせるようにして行われる。
【００２３】
なお、建物１は、以下に説明する各実施の形態の建物１の施工方法を採用して建築されており、建物１の様々な箇所（例えば、外壁や下屋付近、手摺壁付近、下がり壁付近）において前記一方の建築用パネルと他方の建築用パネルとの接合部を防水できるので、建物１の施工方法が適用された建物１の様々な箇所で優れた防水性を発揮することが可能となっている。
また、建物１は、以下に説明する各実施の形態の建物１の施工方法を採用して建築されているとしたが、これに限られるものではなく、以下に説明する各実施の形態の少なくとも一つの建物１の施工方法を採用して建築されるものとしてもよい。
【００２４】
（第１の実施の形態）
図１は本実施の形態に係る建物の施工方法を説明する斜視図である。
図１には、本実施の形態の建物１の施工方法によって建築される住宅等の建物１の外壁が示されている。
本実施の形態の施工方法によって建築される建物１の外壁は、この外壁の平らな部分を、一方の建築用壁パネル１０と他方の建築用壁パネル１２とを幅方向に沿って左右に並設接合し、出隅部Ｃ１を、一方の建築用壁パネル１０と他方の建築用壁パネル１２とを直交して配置するとともに互いの端部を接合し、入隅部Ｃ２を、一方の建築用壁パネル１０と他方の建築用壁パネル１２とを直交して配置するとともに互いの端部を接合することによって形成されている。
【００２５】
また、これら一方および他方の建築用壁パネル１０，１２の外側面には、予め、それぞれ防水シート１１，１３が貼り付けられている。
なお、前記一方の建築用壁パネル１０の外側面に貼り付けられる防水シート１１は、側端部が、前記一方の建築用壁パネル１０の側端部よりも、該一方の建築用壁パネル１０に接合される他方の建築用壁パネル１２側にはみ出すようにして、前記一方の建築用壁パネル１０の外側面に貼り付けられている。
また、前記他方の建築用壁パネル１２の外側面に貼り付けられる防水シート１３は、側端部が、前記他方の建築用壁パネル１２の側端部よりも、該他方の建築用壁パネル１２に接合される一方の建築用壁パネル１０側にはみ出すようにして、前記他方の建築用壁パネル１２の外側面に貼り付けられている。
つまり、これら防水シート１１，１３の幅寸法は、前記建築用壁パネル１０，１２の幅寸法よりも長尺に設定されている。
【００２６】
建物１の外壁を建築する方法として、まず、上述の外壁の平らな部分を施工する方法について説明する。
【００２７】
まず、予め、前記一方の建築用壁パネル１０に貼り付けられた防水シート１１をめくって、前記一方の建築用壁パネル１０の表面のうち、該一方の建築用壁パネル１０に対して他方の建築用壁パネル１２が接合される部分と、その付近とを露出させておく。
すなわち、図１（ａ）に示すように、前記一方の建築用壁パネル１０の側端面と、この一方の建築用壁パネル１０の側端部付近の外側面を露出させておくようにする。
【００２８】
露出させる際は、前記防水シート１１をめくり、その端部を、粘着テープ１５等によって該防水シート１１の中央側に留めておくのが好ましい。つまり、予め、工場等で防水シート１１を前記一方の建築用壁パネル１０の外側面に貼り付けた後、この防水シート１１をめくって留め付けた状態で輸送できるので、現場での施工効率を向上させることができる。
【００２９】
また、前記他方の建築用壁パネル１２に貼り付けられた防水シート１３も、前記防水シート１１と同様に、予めめくって、粘着テープ１５等で留め付けておくようにする。そして、前記他方の建築用壁パネル１２の側端面と、この他方の建築用壁パネル１２の側端部付近の外側面を露出させておく。
【００３０】
続いて、このような状態の前記一方の建築用壁パネル１０と他方の建築用壁パネル１２の露出させておいた側端面同士を当接させ、さらに、露出させておいた側端部付近の外側面から、斜めに交差するように釘等の止着材Ｎを打ち込むことによって、前記一方の建築用壁パネル１０と他方の建築用壁パネル１２とを接合する。
【００３１】
なお、これら一方の建築用壁パネル１０の側端面と他方の建築用壁パネル１２の側端面との間には、これら一方の建築用壁パネル１０と他方の建築用壁パネル１２とを当接させる前に接着剤が塗布されており、止着材Ｎによる接合とともに、接着剤による接合も行われるようになっている。
【００３２】
その後、前記粘着テープ１５をはがして、前記防水シート１１，１３を前記一方および他方の建築用壁パネル１０，１２の外側面の中央側からはがしておく。
そして、図１（ｂ）に示すように、前記一方の建築用壁パネル１０と他方の建築用壁パネル１２との接合部で、前記一方の建築用壁パネル１０の防水シート１１と他方の建築用壁パネル１２の防水シート１３とを重ね合わせる。
【００３３】
なお、必要に応じて、これら重ね合わせた一方の防水シート１１と他方の防水シート１３との境目を塞ぐようにしてジョイントテープ１４を貼着し、これら一方の防水シート１１と他方の防水シート１３とをジョイントする。
【００３４】
次に、出隅部Ｃ１を施工する方法について説明する。
出隅部Ｃ１を形成する一方および他方の建築用壁パネル１０，１２の構成は、前記外壁の平らな部分を形成する一方および他方の建築用壁パネル１０，１２と同様である。
また、施工も、これら一方および他方の建築用壁パネル１０，１２の表面に貼り付けられた防水シート１１，１３をめくって、前記一方および他方の建築用壁パネル１０，１２の側端面と、これら一方および他方の建築用壁パネル１０，１２の側端部付近の外側面を露出させておく手順まで同様であるため、以下、説明を省略する。
【００３５】
そして、前記防水シート１１，１３をめくっておいた後、図１（ａ）に示すように、前記一方の建築用壁パネル１０の側端部の内側面と、前記他方の建築用壁パネル１２の側端面とを当接させ、さらに、前記他方の建築用壁パネル１２の露出させておいた側端部付近の外側面から、斜めに前記一方の建築用壁パネル１０に向かって釘等の止着材Ｎを打ち込むことによって、前記一方の建築用壁パネル１０と他方の建築用壁パネル１２とを接合する。
【００３６】
なお、これら一方の建築用壁パネル１０の側端面と他方の建築用壁パネル１２の側端面との間に接着剤を塗布し、止着材Ｎによる接合とともに、接着剤による接合も行う点も同様であるため、以下、説明を省略する。
【００３７】
前記一方の建築用壁パネル１０と他方の建築用壁パネル１２とを接合した後、前記一方および他方の防水シート１１，１３を留め付けておいた粘着テープ１５をはがして、前記防水シート１１，１３を前記一方および他方の建築用壁パネル１０，１２の外側面の中央側からはがしておく。
そして、図１（ｂ）に示すように、前記一方の建築用壁パネル１０と他方の建築用壁パネル１２との接合部で、前記一方の建築用壁パネル１０の防水シート１１と他方の建築用壁パネル１２の防水シート１３とを重ね合わせる。
【００３８】
また、これら重ね合わせた一方の防水シート１１と他方の防水シート１３との境目を塞ぐようにしてジョイントテープ１４を貼着し、これら一方の防水シート１１と他方の防水シート１３とをジョイントする。
【００３９】
次に、入隅部Ｃ２を施工する方法について説明する。
入隅部Ｃ２を形成する一方および他方の建築用壁パネル１０，１２の構成は、前記外壁の平らな部分および出隅部Ｃ１を形成する一方および他方の建築用壁パネル１０，１２と同様である。
【００４０】
そして、防水シート１１，１３をめくっておいた後は、図１（ａ）に示すように、一方の建築用壁パネル１０の側端面と、他方の建築用壁パネル１２の側端部の内側面とを当接させ、さらに、前記一方の建築用壁パネル１０の露出させておいた側端部付近の外側面から、斜めに前記他方の建築用壁パネル１２に向かって釘等の止着材Ｎを打ち込むことによって、前記一方の建築用壁パネル１０と他方の建築用壁パネル１２とを接合する。
【００４１】
その後、前記一方の建築用壁パネル１０と他方の建築用壁パネル１２との接合部で、前記一方の建築用壁パネル１０の防水シート１１と他方の建築用壁パネル１２の防水シート１３とを重ね合わせる。
また、これら重ね合わせた一方の防水シート１１と他方の防水シート１３との境目を塞ぐようにしてジョイントテープ１４を貼着し、これら一方の防水シート１１と他方の防水シート１３とをジョイントする。
【００４２】
以上のような建物１の施工方法を採用することによって、建物１の外壁、すなわち、平らな部分と出隅部Ｃ１と入隅部Ｃ２とを形成できる。
【００４３】
本実施の形態によれば、前記一方の建築用壁パネル１０の防水シート１１をめくって、前記一方の建築用壁パネル１０の表面を露出させるとともに、前記他方の建築用壁パネル１２の防水シート１３をめくって、前記他方の建築用壁パネル１２の表面を露出させてから、前記一方の建築用壁パネル１０に対して他方の建築用壁パネル１２を接合するので、これら一方の建築用壁パネル１０と他方の建築用壁パネル１２とを確実に接合できる。また、その後、これら一方の建築用壁パネル１０と他方の建築用壁パネル１２との接合部で、前記一方の建築用壁パネル１０の防水シート１１と他方の建築用壁パネル１２の防水シート１３とを重ね合わせるので、該接合部を、少なくとも二重に防水できる。これによって、前記一方の建築用壁パネル１０と他方の建築用壁パネル１２との接合部において優れた防水性を発揮できる。
また、このような方法で、前記一方の建築用壁パネル１０と他方の建築用壁パネル１２との接合部を防水できるので、これら一方の建築用壁パネル１０と他方の建築用壁パネル１２とを左右に隣接配置して形成される外壁の平らな部分や、前記一方の建築用壁パネル１０と他方の建築用壁パネル１２とを直交するようにして配置、接合してなる建物の出隅部Ｃ１や入隅部Ｃ２にも確実に適用することができる。
【００４４】
また、前記一方の建築用パネル１０の防水材１１と他方の建築用パネル１２の防水材１３とを重ね合わせた後、これら一方の防水材１１と他方の防水材１３との境目を塞ぐようにしてジョイントテープ１４を貼着し、これら一方の防水材１１と他方の防水材１３とをジョイントするので、これら一方の防水材１１と他方の防水材１３との境目において優れた防水性を発揮できる。
また、前記ジョイントテープ１４が貼着される部分であれば、このジョイントテープ１４を貼着する前に、前記一方の防水材１１と他方の防水材１３とを釘等の止着材で止着したとしても、この止着材による孔を前記ジョイントテープ１４で塞ぐことができる。
【００４５】
（第２の実施の形態）
次に、図面を参照して本発明の第２の実施の形態について説明する。
図２は、本実施の形態に係る建物の施工方法を説明する斜視図である。
図２には、本実施の形態の建物１の施工方法によって建築される住宅等の建物１の外壁が示されている。
本実施の形態の施工方法によって建築される建物１の外壁は、この外壁の平らな部分を、一方の建築用壁パネル２０と他方の建築用壁パネル２２とを幅方向に沿って左右に並設接合し、出隅部Ｃ１を、一方の建築用壁パネル２０と他方の建築用壁パネル２２とを直交して配置するとともに互いの端部を接合し、入隅部Ｃ２を、一方の建築用壁パネル２０と他方の建築用壁パネル２２とを直交して配置するとともに互いの端部を接合することによって形成されている。
【００４６】
また、これら一方および他方の建築用壁パネル２０，２２の外側面には、予め、それぞれ防水シート２１，２３が貼り付けられている。
なお、前記一方の建築用壁パネル２０の外側面に貼り付けられる防水シート２１は、側端部が、前記一方の建築用壁パネル２０の側端部よりも、該一方の建築用壁パネル２０に接合される他方の建築用壁パネル２２側にはみ出すようにして、前記一方の建築用壁パネル２０の外側面に貼り付けられている。
また、前記他方の建築用壁パネル２２の外側面に貼り付けられる防水シート２３は、側端部が、前記他方の建築用壁パネル２２の側端部よりも、該他方の建築用壁パネル２２に接合される一方の建築用壁パネル２０側にはみ出すようにして、前記他方の建築用壁パネル２２の外側面に貼り付けられている。
つまり、これら防水シート２１，２３の幅寸法は、前記建築用壁パネル２０，２２の幅寸法よりも長尺に設定されている。
【００４７】
さらに、前記一方の建築用壁パネル２０の外側面には、予め、前記防水シート２１を介して外装材２０ａが取り付けられており、前記他方の建築用壁パネル２２の外側面には、予め、前記防水シート２３を介して外装材２２ａが取り付けられている。
これら外装材２０ａ，２２ａは、後述する一方および他方の建築用壁パネル２０，２２の防水シート２１，２３をめくる作業よりも前に、前記一方および他方の建築用壁パネル２０，２２に対し、それぞれ前記防水シート２１，２３を介して取り付けられる。
【００４８】
なお、これら外装材２０ａ，２２ａは、該一方の外装材２０ａの側端部と他方の外装材２２ａの側端部との間に、前記防水シート２１，２３同士を重ね合わせるための隙間Ｓが形成可能となるように前記一方および他方の建築用壁パネル２０，２２にそれぞれ取り付けられている。
【００４９】
すなわち、前記外装材２０ａは、側端部が、前記一方の建築用壁パネル２０の側端部よりも該一方の建築用壁パネル２０の中央側に位置するようにして前記一方の建築用壁パネル２０に取り付けられており、前記外装材２２ａは、側端部が、前記他方の建築用壁パネル２２の側端部よりも該他方の建築用壁パネル２２の中央側に位置するようにして前記他方の建築用壁パネル２２に取り付けられている。
したがって、前記一方の建築用壁パネル２０と他方の建築用壁パネル２２とを接合した際に、一方の外装材２０ａの側端部と他方の外装材２２ａの側端部との間に隙間Ｓができるようになっている。
【００５０】
また、これら外装材２０ａ，２２ａは、前記防水シート２１，２３の表面に取り付け固定される胴縁２６を介して前記一方および他方の建築用壁パネル１０，２０の表面に取り付けられている。
この胴縁２６は、前記一方および他方の建築用壁パネル１０，２０上下方向に沿って長尺に形成されるとともに、これら一方および他方の建築用壁パネル１０，２０の幅方向に所定の間隔をあけて複数並設されており、前記外装材２０ａ，２２ａは、これら複数の胴縁２６間に架設されている。
【００５１】
なお、図示はしないが、前記一方の建築用壁パネル２０の外装材２０ａの側端部と他方の建築用壁パネル２２の外装材２２ａの側端部との間には、これら一方の外装材２０ａの側端部と他方の外装材２２ａの側端部とを連結する現場貼り外装材（図示せず）が設けられるようになっている。
また、このような外装材２０ａ，２２ａおよび現場貼り外装材としては、例えば軽量気泡コンクリート等の無機質系の材料からなり、屋外側の表面において化粧目地等が施されるものが用いられている。
【００５２】
建物１の外壁を建築する方法として、まず、上述の外壁の平らな部分を施工する方法について説明する。
【００５３】
まず、予め、前記一方の建築用壁パネル２０に貼り付けられた防水シート２１をめくって、前記一方の建築用壁パネル２０の表面のうち、該一方の建築用壁パネル２０に対して他方の建築用壁パネル２２が接合される部分と、その付近とを露出させておく。
すなわち、図２（ａ）に示すように、前記一方の建築用壁パネル２０の側端面と、この一方の建築用壁パネル２０の側端部付近の外側面を露出させておくようにする。
【００５４】
露出させる際は、前記防水シート２１を、前記一方の建築用壁パネル２０に取り付けられた外装材２０ａの側端部を回転の中心とするようにしてめくり上げ、その端部を、粘着テープ２５によって前記外装材２０ａの表面に留め付ける。
なお、防水シート２１の端部を留め付けておく位置に外装材２０ａが配置されていなければ、粘着テープ２５等によって前記防水シート２１の中央側に留めておく。
【００５５】
また、前記他方の建築用壁パネル２２に貼り付けられた防水シート２３も、前記防水シート２１と同様に、予めめくって、粘着テープ２５等で留め付けておくようにする。そして、前記他方の建築用壁パネル２２の側端面と、この他方の建築用壁パネル２２の側端部付近の外側面を露出させておく。
露出させる際は、前記防水シート２３の端部を、適宜、前記外装材２２ａの表面か、前記防水シート２３の中央側に留めておく。
【００５６】
続いて、このような状態の前記一方の建築用壁パネル２０と他方の建築用壁パネル２２の露出させておいた側端面同士を当接させ、さらに、露出させておいた側端部付近の外側面から、斜めに交差するように釘等の止着材Ｎを打ち込むことによって、前記一方の建築用壁パネル２０と他方の建築用壁パネル２２とを接合する。
【００５７】
なお、これら一方の建築用壁パネル２０の側端面と他方の建築用壁パネル２２の側端面との間には、これら一方の建築用壁パネル２０と他方の建築用壁パネル２２とを当接させる前に接着剤が塗布されており、止着材Ｎによる接合とともに、接着剤による接合も行われるようになっている。
【００５８】
その後、前記粘着テープ２５をはがして、前記防水シート２１，２３を前記一方および他方の建築用壁パネル２０，２２から剥がしておく。
そして、図２（ｂ）に示すように、前記一方の建築用壁パネル２０と他方の建築用壁パネル２２との接合部で、前記一方の建築用壁パネル２０の防水シート２１と他方の建築用壁パネル２２の防水シート２３とを重ね合わせる。
【００５９】
なお、必要に応じて、これら重ね合わせた一方の防水シート２１と他方の防水シート２３との境目を塞ぐようにしてジョイントテープ２４を貼着し、これら一方の防水シート２１と他方の防水シート２３とをジョイントする。
【００６０】
そして、このように前記一方の建築用壁パネル２０の防水シート２１と他方の建築用壁パネル２２の防水シート２３とを重ね合わせた後、前記隙間Ｓに、前記一方の外装材２０ａの側端部と他方の外装材２２ａの側端部とを連結する現場貼り外装材を設ける。
なお、外壁の平らな部分における現場貼り外装材は平板状のものである。
【００６１】
次に、出隅部Ｃ１を施工する方法について説明する。
出隅部Ｃ１を形成する一方および他方の建築用壁パネル２０，２２の構成は、前記外壁の平らな部分を形成する一方および他方の建築用壁パネル２０，２２と同様である。また、施工も、これら一方および他方の建築用壁パネル２０，２２の表面に貼り付けられた防水シート２１，２３をめくって、前記一方および他方の建築用壁パネル２０，２２の側端面と、これら一方および他方の建築用壁パネル２０，２２の側端部付近の外側面を露出させておく手順まで同様であるため、以下、説明を省略する。
【００６２】
そして、これら防水シート２１，２３をめくっておいた後、図２（ａ）に示すように、前記一方の建築用壁パネル２０の側端部の内側面と、前記他方の建築用壁パネル２２の側端面とを当接させ、さらに、前記他方の建築用壁パネル２２の露出させておいた側端部付近の外側面から、斜めに前記一方の建築用壁パネル２０に向かって釘等の止着材Ｎを打ち込むことによって、前記一方の建築用壁パネル２０と他方の建築用壁パネル２２とを接合する。
【００６３】
なお、これら一方の建築用壁パネル２０の側端面と他方の建築用壁パネル２２の側端面との間に接着剤を塗布し、止着材Ｎによる接合とともに、接着剤による接合も行う点も同様であるため、以下、説明を省略する。
【００６４】
前記一方の建築用壁パネル２０と他方の建築用壁パネル２２とを接合した後、前記一方および他方の防水シート２１，２３を留め付けておいた粘着テープ２５をはがして、前記防水シート２１，２３を前記一方および他方の建築用壁パネル２０，２２の外側面の中央側からはがしておく。
そして、図２（ｂ）に示すように、前記一方の建築用壁パネル２０と他方の建築用壁パネル２２との接合部で、前記隙間Ｓを利用して、前記一方の建築用壁パネル２０の防水シート２１と他方の建築用壁パネル２２の防水シート２３とを重ね合わせる。
【００６５】
また、これら重ね合わせた一方の防水シート２１と他方の防水シート２３との境目を塞ぐようにしてジョイントテープ２４を貼着し、これら一方の防水シート２１と他方の防水シート２３とをジョイントする。
【００６６】
その後、前記一方の建築用壁パネル２０の防水シート２１と他方の建築用壁パネル２２の防水シート２３とを重ね合わせた後、前記隙間Ｓに、前記一方の外装材２０ａの側端部と他方の外装材２２ａの側端部とを連結する現場貼り外装材を設ける。
なお、出隅部Ｃ１における現場貼り外装材は、断面Ｌ字型に形成されるとともに、外角を形成する２面を表面とし、内角を形成する２面を裏面とするコーナ用外装材である。
【００６７】
次に、入隅部Ｃ２を施工する方法について説明する。
入隅部Ｃ２を形成する一方および他方の建築用壁パネル２０，２２の構成は、前記外壁の平らな部分および出隅部Ｃ１を形成する一方および他方の建築用壁パネル２０，２２と同様である。
【００６８】
そして、防水シート２１，２３をめくっておいた後は、図２（ａ）に示すように、一方の建築用壁パネル２０の側端面と、他方の建築用壁パネル２２の側端部の内側面とを当接させ、さらに、前記一方の建築用壁パネル２０の露出させておいた側端部付近の外側面から、斜めに前記他方の建築用壁パネル２２に向かって釘等の止着材Ｎを打ち込むことによって、前記一方の建築用壁パネル２０と他方の建築用壁パネル２２とを接合する。
【００６９】
その後、前記一方の建築用壁パネル２０と他方の建築用壁パネル２２との接合部で、隙間Ｓを利用して、前記一方の建築用壁パネル２０の防水シート２１と他方の建築用壁パネル２２の防水シート２３とを重ね合わせる。
【００７０】
また、これら重ね合わせた一方の防水シート２１と他方の防水シート２３との境目を塞ぐようにしてジョイントテープ２４を貼着し、これら一方の防水シート２１と他方の防水シート２３とをジョイントする。
【００７１】
そして、前記一方の建築用壁パネル２０の防水シート２１と他方の建築用壁パネル２２の防水シート２３とを重ね合わせた後、前記隙間Ｓに、前記一方の外装材２０ａの側端部と他方の外装材２２ａの側端部とを連結する現場貼り外装材を設ける。
なお、入隅部Ｃ２における現場貼り外装材は、断面Ｌ字型に形成されるとともに、内角を形成する２面を表面とし、外角を形成する２面を裏面とするコーナ用外装材である。
【００７２】
以上のような建物１の施工方法を採用することによって、建物１の外壁、すなわち、平らな部分と出隅部Ｃ１と入隅部Ｃ２とを形成できる。
【００７３】
本実施の形態によれば、前記一方の建築用壁パネル２０の防水シート２１をめくって、前記一方の建築用壁パネル２０の表面を露出させるとともに、前記他方の建築用壁パネル２２の防水シート２３をめくって、前記他方の建築用壁パネル２２の表面を露出させてから、前記一方の建築用壁パネル２０に対して他方の建築用壁パネル２２を接合するので、これら一方の建築用壁パネル２０と他方の建築用壁パネル２２とを確実に接合できる。また、その後、これら一方の建築用壁パネル２０と他方の建築用壁パネル２２との接合部で、前記一方の建築用壁パネル２０の防水シート２１と他方の建築用壁パネル２２の防水シート２３とを重ね合わせるので、該接合部を、少なくとも二重に防水できる。これによって、前記一方の建築用壁パネル２０と他方の建築用壁パネル２２との接合部において優れた防水性を発揮できる。
また、このような方法で、前記一方の建築用壁パネル２０と他方の建築用壁パネル２２との接合部を防水できるので、これら一方の建築用壁パネル２０と他方の建築用壁パネル２２とを左右に隣接配置して形成される外壁の平らな部分や、前記一方の建築用壁パネル２０と他方の建築用壁パネル２２とを直交するようにして配置するとともに互いの端部を接合してなる建物の出隅部Ｃ１や入隅部Ｃ２にも確実に適用することができる。
【００７４】
また、前記一方および他方の建築用壁パネル２０，２２に対し、それぞれ、互いの端部間に隙間Ｓが形成可能となるように外装材２０ａ，２２ａを取り付けるので、この隙間Ｓを利用して前記防水シート２１，２３同士を確実に重ね合わせることができる。
すなわち、前記一方および他方の建築用壁パネル２０，２２に対して外装材２０ａ，２２ａを取り付けた場合であっても、前記一方の建築用壁パネル２０と他方の建築用壁パネル２２との接合部を、少なくとも二重に防水できるので、該接合部において優れた防水性を発揮できる。
また、前記一方の建築用壁パネル２０に対して他方の建築用壁パネル２２を接合し、前記隙間Ｓを利用して前記一方の防水シート２１と他方の防水シート２３とを重ね合わせた後、前記一方の建築用壁パネル２０の外装材２０ａの端部と他方の建築用壁パネル２２の外装材２２ａの端部との間に前記現場貼り外装材を設けるので、この現場貼り外装材によって、前記防水シート２１，２３同士を重ね合わせた部分をさらに被覆できる。これによって、前記一方の建築用壁パネル２０と他方の建築用壁パネル２２との接合部において、より優れた防水性を発揮できる。
【００７５】
（第３の実施の形態）
次に、図面を参照して本発明の第３の実施の形態について説明する。
図３は、本実施の形態に係る建物の施工方法を説明する斜視図である。
図３には、本実施の形態の建物１の施工方法によって建築される住宅等の建物１の外壁が示されている。
本実施の形態の施工方法によって建築される建物１の外壁は、一方の建築用壁パネル３０と他方の建築用壁パネル３２とを、建物１の上下階方向に、建物１の上階の床を介して隣接配置することによって形成されている。
なお、前記上階の床は、建築用床パネル３４によって構成されている。
また、前記一方の建築用壁パネル３０を上階側に配置し、前記他方の建築用壁パネル３０を下階側に配置する。
【００７６】
また、これら一方および他方の建築用壁パネル３０，３２の外側面には、予め、それぞれ防水シート３１，３３が貼り付けられている。
なお、前記一方の建築用壁パネル３０の外側面に貼り付けられる防水シート３１は、下端部が、前記一方の建築用壁パネル３０の下端部よりも、該一方の建築用壁パネル３０に接合される他方の建築用壁パネル３２側にはみ出すようにして、前記一方の建築用壁パネル３０の外側面に貼り付けられている。
また、前記他方の建築用壁パネル３２の外側面に貼り付けられる防水シート３３は、上端部が、前記他方の建築用壁パネル３２の上端部よりも、該他方の建築用壁パネル３２に接合される一方の建築用壁パネル３０側にはみ出すようにして、前記他方の建築用壁パネル３２の外側面に貼り付けられている。
つまり、これら防水シート３１，３３の上下方向の長さ寸法は、前記建築用壁パネル３０，３２の上下方向の長さ寸法よりも長尺に設定されている。
【００７７】
続いて、建物１の上下階にわたる外壁の平らな部分を施工する方法について説明する。
【００７８】
まず、予め、前記一方の建築用壁パネル３０に貼り付けられた防水シート３１をめくって、前記一方の建築用壁パネル３０の表面のうち、該一方の建築用壁パネル３０に対して他方の建築用壁パネル３２が接合される部分と、その付近とを露出させておく。
【００７９】
すなわち、図３に示すように、前記一方の建築用壁パネル３０の下端面と、この一方の建築用壁パネル３０の下端部付近の外側面を露出させておくようにする。
露出させる際は、前記防水シート３１をめくり、その端部を、図示しない粘着テープ等によって該防水シート３１の中央側に留めておくようにしてもよい。
【００８０】
また、前記他方の建築用壁パネル３２に貼り付けられた防水シート３３も、前記防水シート３１と同様に、予めめくっておく。そして、この他方の建築用壁パネル３２の側端面と、この他方の建築用壁パネル３２の側端部付近の外側面を露出させておく。
【００８１】
続いて、図示しない下階の床の上に、前記他方の建築用壁パネル３２を立設する。
このように立設された他方の建築用壁パネル３２の上面に、前記建築用床パネル３４を載置する。この建築用床パネル３４を載置する際は、この建築用床パネル３４の側端面に沿って設けられる胴差し３４ａも前記他方の建築用壁パネル３２の上面に載置する。
そして、これら建築用床パネル３４と胴差し３４ａとの上面に、前記一方の建築用壁パネル３０を立設させる。
【００８２】
その後、前記一方の建築用壁パネル３０を構成する下側の框材と、前記他方の建築用壁パネル３２を構成する上側の框材と、これら框材間に位置する前記建築用床パネル３４と胴差し３４ａとの当接面とを上下方向に貫通する貫通孔（図示せず）に連結ボルト（図示せず）を挿通し、この連結ボルトの上下端にナットを締結することによって、前記一方の建築用壁パネル３０と他方の建築用壁パネル３２とを、前記建築用床パネル３４および胴差し３４ａを介して連結する。
【００８３】
なお、前記一方の建築用壁パネル３０の下端面と、前記建築用床パネル３４および胴差し３４ａとの間、他方の建築用壁パネル３２の上端面と、前記建築用床パネル３４および胴差し３４ａの間には、それぞれ接着剤が塗布されており、前記連結ボルトによる接合とともに、接着剤による接合も行われるようになっている。
【００８４】
その後、前記一方の建築用壁パネル３０と他方の建築用壁パネル３２との接合部で、前記一方の建築用壁パネル３０の防水シート３１と他方の建築用壁パネル３２の防水シート３３とを重ね合わせる。
【００８５】
なお、必要に応じて、これら重ね合わせた一方の防水シート３１と他方の防水シート３３との境目を塞ぐようにしてジョイントテープ（図示せず）を貼着し、これら一方の防水シート３１と他方の防水シート３３とをジョイントしてもよい。
【００８６】
なお、前記一方の建築用壁パネル３０および他方の建築用壁パネル３２には、前記防水シート３１，３３を介して外装材（図示せず）を取り付けておくようにしてもよい。
その際は、前記一方の建築用壁パネル３０側の外装材の下端部と、前期他方の建築用壁パネル３２側の外装材の上端部との間に隙間が形成可能となるように、これら外装材同士を、前記一方および他方の建築用壁パネル３０，３２にそれぞれ取り付ける。
【００８７】
そして、この隙間を利用して、前記防水シート３１，３３同士を重ね合わせるようにする。また、前記一方の建築用壁パネル３０側の外装材の下端部と、前期他方の建築用壁パネル３２側の外装材の上端部との間には、前記隙間を被覆する現場貼り外装材を取り付けるようにする。
【００８８】
本実施の形態によれば、前記一方の建築用壁パネル３０の防水シート３１をめくって、前記一方の建築用壁パネル３０の表面を露出させるとともに、前記他方の建築用壁パネル３２の防水シート３３をめくって、前記他方の建築用壁パネル３２の表面を露出させてから、前記一方の建築用壁パネル３０に対して他方の建築用壁パネル３２を接合するので、これら一方の建築用壁パネル３０と他方の建築用壁パネル３２とを確実に接合でき、その後、これら一方の建築用壁パネル３０と他方の建築用壁パネル３２との接合部で、前記一方の建築用壁パネル３０の防水シート３１と他方の建築用壁パネル３２の防水シート３３とを重ね合わせるので、該接合部を、少なくとも二重に防水できる。これによって、前記一方の建築用壁パネル３０と他方の建築用壁パネル３２との接合部において優れた防水性を発揮できる。
また、このような方法で、前記一方の建築用壁パネル３０と他方の建築用壁パネル３２との接合部を防水できるので、これら一方の建築用壁パネル３０と他方の建築用壁パネル３２とを上下に隣接配置して形成される外壁の平らな部分にも確実に適用することができる。
【００８９】
なお、上述の第１〜第３の実施の形態では、表面に外装材を取り付けずに建築用パネル同士を接合する場合や、表面に外装材を取り付けて建築用パネル同士を接合する場合について説明をしたが、従来は、必ずしも統一された施工方法が採用されていたとは言えず、各現場や各施工業者によって施工方法が異なる場合があった。
しかしながら、以上のように、表面に防水材が設けられる一方の建築用パネルと、表面に防水材が設けられる他方の建築用パネルとを接合して住宅等の建物１を施工する際は、一方の建築用パネルの表面のうち、一方の建築用パネルに対して他方の建築用パネルが接合される部分を露出させ、露出した一方の建築用パネルの表面に他方の建築用パネルを接合し、これら一方の建築用パネルと他方の建築用パネルとの接合部で、一方の建築用パネルの防水材と他方の建築用パネルの防水材とを重ね合わせるようにして行うこととしたので、各現場や各施工業者によって施工方法が異なる場合などをなくし、建物の施工方法を統一することが可能となる。
【００９０】
（第４の実施の形態）
次に、図面を参照して本発明の第４の実施の形態について説明する。
図４は本実施の形態に係る建物の施工方法を説明する斜視図である。
図４には、本実施の形態の建物１の施工方法によって建築される住宅等の建物１の下屋付近が示されている。
ここで、下屋とは、母屋に差しかけて造った小屋根や、母屋に付属する小さな家や小屋を指しており、本実施の形態においては、住宅等の建物１の外壁の表面から張り出すようにして該外壁の表面に接合される屋根の部分を指し、本実施の形態の下屋は、建物１の建物本体（すなわち、母屋）の屋根（図示せず）よりも下方に配置されるものである。
【００９１】
このような建物１の下屋は、住宅等の建物１の外壁を形成する建築用壁パネル４０の表面から張り出すようにして該建築用壁パネル４０に建築用屋根パネル４２を接合することによって形成されている。
【００９２】
より詳細には、前記建築用壁パネル４０は、図４に示すように建物１の下階の外壁であり、この建築用壁パネル４０は、図示しない下階の床の上に立設されており、上面には、上階の床を構成する建築用床パネル４６および胴差し４６ａが載置されている。また、これら建築用床パネル４６および胴差し４６ａの上面には、上階の外壁である建築用壁パネル４５が立設されている。
【００９３】
そして、前記建築用屋根パネル４２は、この建築用屋根パネル４２の長さ方向一端が上方に位置するとともに、長さ方向他端が下方に位置するように傾斜しており、この建築用屋根パネル４２の外壁への当接面の下端部側が、前記建築用壁パネル４０の表面に位置し、上端部側が前記建築用壁パネル４５の表面に位置するように設けられており、図示しない釘等の止着材および接着剤によって接合固定されている。
また、この建築用屋根パネル４２は、傾斜方向下端に、角度調整材を取り付けることによって垂直面を備えている。
【００９４】
また、前記建築用壁パネル４０の外側面には、予め、上端部が、前記建築用壁パネル４０の上端部よりも、該建築用壁パネル４０に載置される建築用床パネル４６側にはみ出す防水シート４１が貼り付けられている。つまり、この防水シート４１の上下方向の長さ寸法は、前記建築用壁パネル４０の上下方向の長さ寸法よりも長尺に設定されている。
【００９５】
なお、この防水シート４１は、前記建築用壁パネル４０の外側面のうち、前記建築用屋根パネル４２が接合される部分を除く部分に貼り付けられている。すなわち、図４に示すように、前記建築用屋根パネル４２の傾斜角度に沿って、かつ該建築用屋根パネル４２の前記建築用壁パネル４０との当接面に対応した切欠部４１ｂが、前記防水シート４１に形成された状態となっている。
【００９６】
一方、前記建築用屋根パネル４２の下方には、この建築用屋根パネル４２を支持するとともに、前記下階の建築用壁パネル４０に直交するようにして接合される建築用壁パネル４７が設けられている。
この屋根下方の建築用壁パネル４７の上端面には、前記建築用屋根パネル４２を所定角度に支持するための角度調整材４７ａが取り付けられており、この角度調整材４７ａの上に前記建築用屋根パネル４２が設けられている。
なお、この角度調整材４７ａの傾斜角度と、前記切欠部４１ｂの上縁および下縁の角度は略等しくなるように設定されている。
【００９７】
また、前記建築用屋根パネル４２の表面に設けられる防水材は、図５および図６に示すように、前記建築用壁パネル４０側にはみ出し、かつ該はみ出し部分４３ａの上部４３ｂが前記建築用屋根パネル４２の上面よりも上方に位置するようにして、前記建築用屋根パネル４２の基端部の側端に貼り付けられる耐水シート４３である。
なお、この耐水シート４３は、裏面に粘着剤を塗布して使用したり、予め粘着剤が塗布され、離型紙でカバーされた状態のものが用いられる。
【００９８】
次に、建物１の下屋付近を施工する方法について説明する。
まず、予め、前記切欠部４１ｂが形成された防水シート４１を、前記建築用壁パネル４０の外側面に貼り付けておく。そして、この防水シート４１のうち、前記建築用屋根パネル４２の耐水シート４３のはみ出し部分４３ａの上部４３ｂに対応する位置を切り込むことによって、前記耐水シート４３のはみ出し部分４３ａの上部４３ｂに対応する位置の前記建築用壁パネル４０の表面を露出させる。
【００９９】
すなわち、前記防水シート４１のうち、前記切欠部４１ｂの上縁の長さ方向下端に位置する部分を、該切欠部４１ｂの上縁の長さ方向に沿って、切断器具を用いて切り込むことによって切り込み４１ａを形成する。
また、この切り込み４１ａは、前記耐水シート４３のはみ出し部４３ａの上部４３ｂを差し込むことができるような長さ切り込むことによって形成されている。
そして、このように切り込み４１ａを形成することによって、この切り込み４１ａの上方に位置する防水シート４１をめくれば、建築用壁パネル４０の表面を露出できるようになっている。
【０１００】
続いて、前記建築用屋根パネル４２を支持する建築用壁パネル４７を、前記建築用壁パネル４０に対して直交するようにして接合する。また、この屋根下方の建築用壁パネル４７の上端部に前記角度調整材４７ａを取り付ける。
そして、前記建築用屋根パネル４２を、前記屋根下方の建築用壁パネル４７上に設置するとともに、前記切欠部４１ｂを介して、下階の外壁を構成する建築用壁パネル４０と、上階の床を構成する建築用床パネル４６の側端面に沿って設けられた胴差し４６ａと、上階の外壁を構成する建築用壁パネル４５とに接合する。
なお、この建築用屋根パネル４２を外壁に接合する作業と、上述の防水シート４１に切り込み４１ａを形成する作業とは、どちらを先に行ってもよく、順序不同である。
【０１０１】
続いて、前記耐水シート４３を加工する。まず、図５（ａ）に示すように、この耐水シート４３の上端部から下方に向かって該耐水シート４３をカットして第１カット部４３ｃを形成するとともに、この耐水シート４３の側端部から、前記第１カット部４３ｃの延長線との交点まで該耐水シート４３をカットして第２カット部４３ｄを形成する。
【０１０２】
また、前記第１カット部４３ｃの下端部から前記第２カット部４３ｄまでの部分は谷折りされる第１折曲部４３ｅとされており、前記第１カット部４３ｃの下端部から耐水シート４３の側端部までの部分は、前記第２カット部４３ｄに平行するようにして延在し、山折りされる第２折曲部４３ｆとされている。
【０１０３】
さらに、前記第１カット部４３ｃと、第１折曲部４３ｅと、第２カット部４３ｄとで囲まれた範囲外の略Ｌ型の部分は、前記建築用壁パネル４０の表面側にはみ出すはみ出し部４３ａとされており、その上部４３ｂは前記建築用屋根パネル４２の基端部の側端付近の上面よりも上方に位置する。
なお、前記第１カット部４３ｃおよび第２カット部４３ｄを形成する作業は、予め工場等で行っておいてもよいし、現場で行ってもよいものとする。
続いて、現場で、図５（ｂ）に示すように、前記第１折曲部４３ｅを谷折りし、前記第２折曲部４３ｆを山折りする。
【０１０４】
続いて、図６に示すように、前記耐水シート４３のはみ出し部４３ａの上部４３ｂを、前記切り込み４１ａから差し込み、前記防水シート４１の裏側に潜り込ませながら、前記耐水シート４３を、前記建築用屋根パネル４２の基端部の側端に貼り付けるとともに、この耐水シート４３のはみ出し部４３ａを、前記防水シート４１の表面に貼り付ける。
【０１０５】
なお、前記耐水シート４３を、前記建築用屋根パネル４２の基端部の側端に貼り付ける際は、前記第１折曲部４３ｅが、前記建築用屋根パネル４２の傾斜方向下端の垂直面と、前記建築用壁パネル４０との取り合い部分に沿うように、かつ、前記第２折曲部４３ｆが、前記建築用屋根パネル４２の傾斜方向下端の垂直面と、この建築用屋根パネル４２の上面との取り合い部分に沿うようにして貼り付ける。
【０１０６】
続いて、前記切り込み４１ａの下端部を覆うようにして、かつ前記耐水シート４３のはみ出し部４３ａの上部４３ｂの側端部と、前記防水シート４１との境目を塞ぐようにしてジョイントテープ４４を貼着し、これら防水シート４１と耐水シート４３のはみ出し部４３ａの上部４３ｂとをジョイントする。
【０１０７】
その後、前記建築用壁パネル４０，４５と胴差し４６ａ建物１の外壁面と、前記建築用屋根パネル４２との取り合い部分に、該建築用屋根パネル４２の傾斜方向に沿って屋根防水部材４８を取り付ける。
【０１０８】
この屋根防水部材４８は断面略Ｌ字型に形成されており、その上端縁を、前記下階の建築用壁パネル４０の防水シート４１の下端部と、前記上階の建築用壁パネル４５の防水シート４５ａの下端部との裏側に潜り込ませるようにして取り付ける。また、この屋根防水部材４８の下端部が、前記ジョイントテープ４４の近傍に位置するように取り付ける。
【０１０９】
本実施の形態によれば、前記防水シート４１が貼り付けられていない建築用壁パネル４０の表面に対して、前記建築用屋根パネル４２を接合するので、これら建築用壁パネル４０と建築用屋根パネル４２とを確実に接合できる。
その後、これら建築用壁パネル４０と建築用屋根パネル４２との接合部で、前記耐水シート４３のはみ出し部分４３ａの上部４３ｂを前記防水シート４１の切り込み４１ａから該防水シート４１の裏側に潜り込ませながら、前記耐水シート４３を前記建築用屋根パネル４２の基端部の側端に貼り付けるとともに、この耐水シート４３のはみ出し部分４３ａを前記防水シート４１の表面に貼り付けるので、該接合部を、少なくとも二重に防水できる。これによって、前記建築用壁パネル４０と他方の建築用パネル４２との接合部において優れた防水性を発揮できる。
また、このような方法で、前記一方の建築用パネル４０と他方の建築用パネル４２との接合部を防水できるので、これら一方の建築用壁パネル４０に対して他方の建築用壁パネル４２を接合して形成される庇や下屋等が設けられる部分にも確実に適用することができる。
【０１１０】
（第５の実施の形態）
次に、図面を参照して本発明の第５の実施の形態について説明する。
図８は本実施の形態に係る建物の施工方法を説明する斜視図である。
図８には、本実施の形態の建物１の施工方法によって建築される住宅等の建物１の下屋付近が示されている。
本実施の形態の下屋は、住宅等の建物１の外壁を形成する建築用壁パネル５０の表面から張り出すようにして該建築用壁パネル５０に建築用屋根パネル５２を接合することによって形成されている。
【０１１１】
より詳細には、前記建築用壁パネル５０は、図８に示すように建物１の上階の外壁であり、この建築用壁パネル５０は、上階の床を構成する建築用床パネル５６および胴差し５６ａの上に立設されている。また、これら建築用床パネル５６および胴差し５６ａは、図示しない下階の床上に立設される建築用壁パネル５５の上面に載置されている。
【０１１２】
そして、前記建築用屋根パネル５２は、この建築用屋根パネル５２の長さ方向に沿う一側端が上方に位置するとともに、他側端が下方に位置するように傾斜し、前記長さ方向に沿う一側端が前記建築用壁パネル５０の表面に接合される。
なお、建築用壁パネル５０と建築用屋根パネル５２との接合は、図示しない釘等の止着材および接着剤によって行われる。
また、前記建築用壁パネル５０と建築用屋根パネル５２との間には、この建築用屋根パネル５２を傾斜させるための角度調整材５２ａが介在している。
【０１１３】
また、前記建築用壁パネル５０の外側面には、予め、下端部が、前記建築用壁パネル５０の下端部よりも前記建築用床パネル５６側にはみ出す防水シート５１が貼り付けられている。つまり、この防水シート５１の上下方向の長さ寸法は、前記建築用壁パネル５０の上下方向の長さ寸法よりも長尺に設定されている。
【０１１４】
なお、この防水シート５１は、前記建築用壁パネル５０の外側面のうち、前記建築用屋根パネル５２が接合される部分を除く部分に貼り付けられている。
すなわち、図８に示すように、前記建築用屋根パネル５２の基端部に沿って、かつ該建築用屋根パネル５２の前記建築用壁パネル５０との当接面に対応した切欠部５１ｂが、前記防水シート５１に形成された状態となっている。
【０１１５】
一方、前記建築用屋根パネル５２の下方には、この建築用屋根パネル５２を支持するとともに、前記下階の建築用壁パネル５５に直交するようにして接合される建築用壁パネル５７が設けられている。
【０１１６】
この屋根下方の建築用壁パネル５７の上端面には、前記建築用屋根パネル５２を所定角度に支持するための角度調整体５７ａが取り付けられており、この角度調整体５７ａの上に前記建築用屋根パネル５２が設けられている。
つまり、この角度調整体５７ａは、前記建築用壁パネル５０および胴差し５６ａに直交するようにして設けられており、この角度調整体５７ａの前記建築用壁パネル５０側端部から、外方に向かって下り勾配となるように形成されている。
【０１１７】
また、前記建築用屋根パネル５２の表面に設けられる防水材は、図９および図１０に示すように、前記建築用壁パネル５０側にはみ出し、かつ該はみ出し部分５３ａの上部５３ｂが前記建築用屋根パネル５２の上面よりも上方に位置するようにして、前記建築用屋根パネル５２の基端部の側端に貼り付けられる耐水シート５３である。
なお、この耐水シート５３は、裏面に粘着剤を塗布して使用したり、予め粘着剤が塗布され、離型紙でカバーされた状態のものが用いられる。
【０１１８】
次に、建物１の下屋付近を施工する方法について説明する。
まず、予め、前記切欠部５１ｂが形成された防水シート５１を、前記建築用壁パネル５０の外側面に貼り付けておく。そして、この防水シート５１のうち、前記建築用屋根パネル５２の耐水シート５３のはみ出し部分５３ａの上部５３ｂに対応する位置を切り込むことによって、前記耐水シート５３のはみ出し部分５３ａの上部５３ｂに対応する位置の前記建築用壁パネル５０の表面を露出させる。
【０１１９】
すなわち、前記防水シート５１のうち、前記切欠部５１ｂの上縁の長さ方向一端に位置する部分を、該切欠部５１ｂの上縁の長さ方向に沿って、切断器具を用いて切り込むことによって切り込み５１ａを形成する。
また、この切り込み５１ａは、前記耐水シート５３のはみ出し部５３ａの上部５３ｂを差し込むことができるような長さ切り込むことによって形成されている。
そして、このように切り込み５１ａを形成することによって、この切り込み５１ａの上方に位置する防水シート５１をめくれば、建築用壁パネル５０の表面を露出できるようになっている。
【０１２０】
続いて、前記建築用屋根パネル５２を支持する建築用壁パネル５７を、下階の外壁を構成する建築用壁パネル５５に対して直交するようにして接合する。また、この屋根下方の建築用壁パネル５７の上端部に前記角度調整体５７ａを取り付ける。
【０１２１】
そして、前記建築用屋根パネル５２を、前記屋根下方の建築用壁パネル５７上に設置するとともに、前記切欠部５１ｂを介して、上階の外壁を構成する建築用壁パネル５０に接合する。
なお、この建築用屋根パネル５２を外壁に接合する作業と、上述の防水シート５１に切り込み５１ａを形成する作業とは、どちらを先に行ってもよく、順序不同である。
【０１２２】
続いて、前記耐水シート５３を加工する。まず、図９（ａ）に示すように、この耐水シート５３の上端部から下方に向かって該耐水シート５３をカットして第１カット部５３ｃを形成するとともに、この耐水シート５３の側端部から、前記第１カット部５３ｃの延長線との交点まで該耐水シート５３をカットして第２カット部５３ｄを形成する。
【０１２３】
また、前記第１カット部５３ｃの下端部から前記第２カット部５３ｄまでの部分は谷折りされる第１折曲部５３ｅとされており、
前記第１カット部５３ｃの下端部から、耐水シート５３の側端部の第２カット部５３ｄ近傍までの部分は、前記建築用屋根パネル５２の上面と側端面とに沿って山折りされる第２折曲部５３ｆとされており、
前記第１カット部の下端部から、耐水シート５３の上端部までの部分は、前記建築用屋根パネル５２の上面と前記建築用壁パネル５０の外側面とに沿って谷折りされる第３折曲部５３ｇとされている。
【０１２４】
さらに、前記第１カット部５３ｃと、第１折曲部５３ｅと、第２カット部５３ｄとで囲まれた範囲外の略Ｌ型の部分は、前記建築用壁パネル５０の表面側にはみ出すはみ出し部５３ａとされており、その上部５３ｂは前記建築用屋根パネル５２の基端部の側端付近の上面よりも上方に位置する。
なお、前記第１カット部５３ｃおよび第２カット部５３ｄを形成する作業は、予め工場等で行っておいてもよいし、現場で行ってもよいものとする。
続いて、現場で、図９（ｂ）に示すように、前記第１折曲部５３ｅを谷折りし、前記第２折曲部５３ｆを山折りし、前記第３折曲部５３ｇを谷折りする。
【０１２５】
続いて、図１０に示すように、前記耐水シート５３のはみ出し部５３ａの上部５３ｂを、前記切り込み５１ａから差し込み、前記防水シート５１の裏側に潜り込ませながら、前記耐水シート５３を、前記建築用屋根パネル５２の基端部の側端に貼り付けるとともに、この耐水シート５３のはみ出し部５３ａを、前記防水シート５１の表面に貼り付ける。
【０１２６】
なお、前記耐水シート５３を、前記建築用屋根パネル５２の基端部の側端に貼り付ける際は、前記第１折曲部５３ｅが、前記建築用屋根パネル５２の側端面と、前記建築用かねパネル５０との取り合い部分に沿うように、かつ、前記第２折曲部５３ｆが、前記建築用屋根パネル５２の側端面と、この建築用屋根パネル５２の上面との取り合い部分に沿うように、かつ、前記第３折曲部５３ｇが、前記建築用屋根パネル５２の上面と、前記建築用壁パネル５０との取り合い部分に沿うようにして貼り付ける。
【０１２７】
続いて、前記切り込み５１ａの端部を覆うようにして、かつ前記耐水シート５３のはみ出し部５３ａの上部５３ｂの側端部と、前記防水シート５１との境目を塞ぐようにしてジョイントテープ５４を貼着し、これら防水シート５１と耐水シート５３のはみ出し部５３ａの上部５３ｂとをジョイントする。
【０１２８】
その後、前記建築用壁パネル５０と、前記建築用屋根パネル５２との取り合い部分に、該建築用屋根パネル５２の基端部に沿って、図示しない屋根防水部材を取り付ける。
【０１２９】
この屋根防水部材は断面略くの字型に形成されており、その上端縁を、前記切欠部５１ｂの上縁から前記防水シート５１の裏側に潜り込ませるようにして取り付ける。また、この屋根防水部材の一端部が、前記ジョイントテープ５４の近傍に位置するように取り付ける。
【０１３０】
本実施の形態によれば、前記防水シート５１が貼り付けられていない建築用壁パネル５０の表面に対して、前記建築用屋根パネル５２を接合するので、これら建築用壁パネル５０と建築用屋根パネル５２とを確実に接合できる。
その後、これら建築用壁パネル５０と建築用屋根パネル５２との接合部で、前記耐水シート５３のはみ出し部分５３ａの上部５３ｂを前記防水シート５１の切り込み５１ａから該防水シート５１の裏側に潜り込ませながら、前記耐水シート５３を前記建築用屋根パネル５２の基端部の側端に貼り付けるとともに、この耐水シート５３のはみ出し部分５３ａを前記防水シート５１の表面に貼り付けるので、該接合部を、少なくとも二重に防水できる。これによって、前記建築用壁パネル５０と他方の建築用パネル５２との接合部において優れた防水性を発揮できる。
また、このような方法で、前記一方の建築用パネル５０と他方の建築用パネル５２との接合部を防水できるので、これら一方の建築用壁パネル５０に対して他方の建築用壁パネル５２を接合して形成される庇や下屋等が設けられる部分にも確実に適用することができる。
【０１３１】
なお、上述の第４および第５の実施の形態では、建築用屋根パネルを建物１の外壁を形成する建築用壁パネルに接合する際の向きや角度が異なる場合について説明をしたが、従来は、必ずしも統一された施工方法が採用されていたとは言えず、各現場や各施工業者によって施工方法が異なる場合があった。
しかしながら、以上のように、表面に防水材が設けられる建築用壁パネルと、表面に防水材が設けられる建築用屋根パネルとを接合して住宅等の建物１を施工する際は、建築用壁パネルの表面のうち、建築用壁パネルに対して建築用屋根パネルが接合される部分を露出させ、露出した建築用壁パネルの表面に建築用屋根パネルを接合し、これら建築用壁パネルと建築用屋根パネルとの接合部で、建築用壁パネルの防水材と建築用屋根パネルの防水材とを重ね合わせるようにして行うこととしたので、各現場や各施工業者によって施工方法が異なる場合などをなくし、建物の施工方法を統一することが可能となる。
【０１３２】
（第６の実施の形態）
次に、図面を参照して本発明の第６の実施の形態について説明する。
図１４は本実施の形態に係る建物の施工方法を説明する斜視図である。
図１４には、本実施の形態の建物１の施工方法によって建築される住宅等の建物１の手摺壁付近が示されている。
ここで、手摺壁とは、建物１の外壁から張り出すようにして設けられるバルコニー等を構成する手摺の壁を指しており、本実施の形態においては、住宅等の建物１の外壁を形成する一方の建築用壁パネル６０に対して、上端部が前記一方の建築用壁パネル６０の上端部よりも下方に位置する建築用壁パネル６２を、前記一方の建築用壁パネル６０の外側面から突出するようにして接合することによって形成されている。
【０１３３】
より詳細には、前記建築用壁パネル６０は、図１１に示すように建物１の上階の外壁であり、この建築用壁パネル６０は、上階の床を構成する建築用床パネル６６および胴差し６６ａの上に立設されている。また、これら建築用床パネル６６および胴差し６６ａは、図示しない下階の床上に立設される建築用壁パネル６５の上面に載置されている。
【０１３４】
そして、前記建築用壁パネル６２は、側端面が前記建築用壁パネル６０の外側面に当接されており、これら建築用壁パネル６２と建築用壁パネル６０との接合は、図示しない釘等の止着材および接着剤によって行われる。
【０１３５】
また、この手摺壁を形成する建築用壁パネル６２は、前記建築用床パネル６６および胴差し６６ａから突出して設けられるバルコニー床用の建築用床パネル６７および胴差し６７ａの上面に立設されている。
【０１３６】
さらに、これら建築用床パネル６６および胴差し６６ａの下面には、下がり壁を形成する建築用壁パネル６８が設けられている。この下がり壁６８は、前記下階の外壁を構成する建築用壁パネル６５の外側面から突出するようにして接合されており、前記建築用床パネル６６，６６前記手摺壁を形成する建築用壁パネル６２と連続性を持っているように見せることができる。
【０１３７】
なお、前記手摺壁を形成する建築用壁パネル６２には、図１２に示すように、この建築用壁パネル６２の上面に、図示しない手摺笠木等を取り付けるための下地となる下地材６２ａが設けられている。
【０１３８】
また、図１１に示すように、前記建築用壁パネル６０の外側面には、予め、下端部が、前記建築用壁パネル６０の下端部よりも前記建築用床パネル６６側にはみ出す防水シート６１が貼り付けられている。
つまり、この防水シート６１の上下方向の長さ寸法は、前記建築用壁パネル６０の上下方向の長さ寸法よりも長尺に設定されている。
【０１３９】
また、この防水シート６１は、この防水シート６１の下端部から上方に向かって該防水シート６１を切り込むことによって第１切り込み６１ａが形成されるとともに、この防水シート６１の第１切り込み６１ａの上端部において、防水シート６１を、この第１切り込み６１ａと直交して水平に切り込むことによって第２切り込み６１ｂが形成された状態となっている。
【０１４０】
また、これら第１切り込み６１ａおよび第２切り込み６１ｂは、第１切り込み６１ａから防水シート６１を両側にめくって、前記手摺壁を形成する建築用壁パネル６２の側端面を当接させる前記建築用壁パネル６０の外側面を露出させるために形成される。
【０１４１】
さらに、前記第２切り込み６１ｂの両端部には、防水シート６１を、この両端部から上方に向かって切り込むことによって第３切り込み６１ｃおよび第４切り込み６１ｄが形成されている。
これら第２〜第４切り込み６１ｂ，６１ｃ，６１ｄは、後述する止水プレート６３ｂの一部を差し込むために必要な加工である。
【０１４２】
一方、前記建築用壁パネル６２の表面に設けられる防水材は、図１２および図１３に示すように、防水シート６３ａと、前記一方の建築用壁パネル６０の表面側にはみ出し、かつ該はみ出し部分６３ｄの上部６３ｅが前記他方の建築用壁パネル６２の上面よりも上方に位置するようにして、前記他方の建築用壁パネル６２の基端部の上端に取り付けられる止水プレート６３ｂとである。
【０１４３】
この止水プレート６３ｂは、前記手摺壁を形成する建築用壁パネル６２の基端部の上端を被覆するようにして設けられる断面略コ字型の被覆部６３ｃと、この被覆部６３ｃの端部に設けられるとともに、前記一方の建築用壁パネル６０の表面側にはみ出す前記はみ出し部６３ｄとを備えており、このはみ出し部６３ｄの上部６３ｅは、前記他方の建築用壁パネル６２の上面よりも上方に位置し、前記第２〜第４切り込み６１ｂ，６１ｃ，６１ｄから、前記防水シート６１の裏側に差し込まれる。
なお、この止水プレート６３ｂは、例えば、裏面に粘着剤を塗布して使用される。
また、本実施の形態の止水プレート６３ｂは金属製のものを用いるが、これに限られるものではなく、樹脂製のものでもよい。
【０１４４】
次に、建物１の手摺壁付近を施工する方法について説明する。
まず、予め、前記防水シート６１を、前記建築用壁パネル６０の外側面に貼り付けておく。そして、この防水シート６１を適宜切り込むことによって、前記第１切り込み６１ａと、第２切り込み６１ｂと、第３切り込み６１ｃと、第４切り込み６１ｄとを形成する。
【０１４５】
そして、前記第１切り込み６１ａから防水シート６１を両側にめくって、前記手摺壁を形成する建築用壁パネル６２が接合される部分を露出させておく。この時、前記手摺壁を形成する建築用壁パネル６２の表面に設けられた防水シート６３ａの前記建築用壁パネル６０側端部をめくって、この手摺壁を形成する建築用壁パネル６２の基端部の表面を露出させておく。
【０１４６】
また、前記防水シート６１に、前記第２〜第４切り込み６１ｂ，６１ｃ，６１ｄを形成することによって、これら第２〜第４切り込み６１ｂ，６１ｃ，６１ｄで囲まれた部分の防水シート６１をめくれば、建築用壁パネル６０の表面を露出できるようになっている。
【０１４７】
続いて、図１２に示すように、前記バルコニー床用の建築用床パネル６７および胴差し６７ａを、前記上階の床を構成する建築用床パネル６６および胴差し６６ａに接合してバルコニー床を形成する。
また、このバルコニー床の下部に、前記下がり壁を形成する建築用壁パネル６８を、前記下階の外壁を構成する建築用壁パネル６５の外側面から突出するようにして接合する。
【０１４８】
続いて、図１２に示すように、前記手摺壁を形成する建築用壁パネル６２を、前記バルコニー床用の建築用床パネル６７および胴差し６７ａの上面に立設するとともに、前記建築用壁パネル６０の露出した外側面に当接し、該建築用壁パネル６０と直交するようにして接合する。
【０１４９】
続いて、前記建築用壁パネル６０と、手摺壁を形成する建築用壁パネル６２との接合部で、めくっておいた双方の建築用壁パネル６０，６２の防水シート６１，６３ａを戻しながら、これら防水シート６１，６３ａとを重ね合わせて、前記建築用壁パネル６０と、手摺壁を形成する建築用壁パネル６２との接合部を二重に防水する。
【０１５０】
そして、これら重ね合わされた防水シート６１と、防水シート６３ａとの境目を塞ぐようにしてジョイントテープ６４を貼着し、これら防水シート６１と防水シート６３ａとをジョイントする。
【０１５１】
その後、図１３および図１４に示すように、前記建築用壁パネル６０と、手摺壁を形成する建築用壁パネル６２との接合部で、前記止水プレート６３ｂのはみ出し部分６３ｄの上部６３ｅを前記防水シート６１の第２〜第４切り込み６１ｂ，６１ｃ，６１ｄから該防水シート６１の裏側に潜り込ませながら、前記止水プレート６３ｂを前記他方の建築用壁パネル６２の基端部の上端に取り付ける。
【０１５２】
そして、これら重ね合わされた防水シート６１と、止水プレート６３ｂとの境目を塞ぐようにして、かつ前記第３切り込み６１ｃおよび第４切り込み６１ｄに沿ってジョイントテープ６４を貼着し、これら第３切り込み６１ｃおよび第４切り込み６１ｄによって切り離された防水シート６１同士と、前記防水シート６１と防水シート６３ａとをジョイントする。
【０１５３】
本実施の形態によれば、前記一方の建築用壁パネル６０の防水シート６１のうち、前記一方の建築用壁パネル６０に対して他方の建築用壁パネル６２が接合される部分に対応する位置を切り込むとともに、該一方の防水シート６１をめくって、前記他方の建築用壁パネル６２が接合される部分を露出させ、前記他方の建築用壁パネル６２の防水シート６３ａをめくって、前記他方の建築用壁パネル６２の基端部の表面を露出させてから、前記一方の建築用壁パネル６０に対して他方の建築用壁パネル６２を接合するので、これら一方の建築用壁パネル６０と他方の建築用パネル６２とを確実に接合できる。
その後、これら一方の建築用壁パネル６０と他方の建築用パネル６２との接合部で、めくっておいた一方および他方の建築用壁パネル６０，６２の防水シート６１，６３ａを戻しながら、これら一方の防水シート６１と他方の防水シート６３ａとを重ね合わせるので、該接合部を、少なくとも二重に防水できる。
さらに、これら一方の建築用壁パネル６０と他方の建築用壁パネル６２との接合部で、前記止水プレート６３ｂのはみ出し部分６３ｄの上部６３ｅを前記防水シート６１の切り込み（例えば第２切り込み６１ｂ）から該防水シート６１の裏側に潜り込ませながら、前記止水プレート６３ｂを前記他方の建築用壁パネル６２の基端部の上端に取り付けるので、この他方の建築用壁パネル６２の基端部の上端と前記一方の建築用壁パネル６０の防水シート６１との間を、少なくとも二重に防水できる。
これによって、前記一方の建築用壁パネル６０と他方の建築用パネル６２との接合部において優れた防水性を発揮できる。
また、このような方法で、前記一方の建築用パネル６０と他方の建築用パネル６２との接合部を防水できるので、これら一方の建築用壁パネル６０に対して他方の建築用壁パネル６２を接合して形成される手摺壁や袖壁等が設けられる部分にも確実に適用することができる。
【０１５４】
（第７の実施の形態）
次に、図面を参照して本発明の第７の実施の形態について説明する。
図１６は本実施の形態に係る建物の施工方法を説明する斜視図である。
図１６には、本実施の形態の建物１の施工方法によって建築される住宅等の建物１の下がり壁付近が示されている。
ここで、下がり壁とは、天井面から下方に突き出した壁を指しており、本実施の形態においては、住宅等の建物１の外壁を形成する一方の建築用壁パネル７０に対して、下端部が前記一方の建築用壁パネル７０の下端部よりも上方に位置する建築用壁パネル７２を、前記一方の建築用壁パネル７０の外側面から突出するようにして接合するとともに、図示しないバルコニー床の下面に、該バルコニー床の下面から下方に突出するようにして接合ことによって形成されている。
また、前記下がり壁を形成する建築用壁パネル７２と建築用壁パネル７０との接合は、図示しない釘等の止着材および接着剤によって行われる。
なお、図示はしないが、前記バルコニー床の上面には、この下がり壁を形成する建築用壁パネル７２と連続性を持っているように見せることが可能な手摺壁が立設されている。
【０１５５】
また、図１５に示すように、前記外壁を形成する建築用壁パネル７０の外側面には、予め、上端部が、この建築用壁パネル７０の上端部よりも上方にはみ出す防水シート７１が貼り付けられている。
つまり、この防水シート７１の上下方向の長さ寸法は、前記建築用壁パネル７０の上下方向の長さ寸法よりも長尺に設定されている。
【０１５６】
また、この防水シート７１は、この防水シート７１の上端部から下方に向かって該防水シート７１を切り込むことによって第１切り込み７１ａが形成されるとともに、この防水シート７１の第１切り込み７１ａの下端部において、防水シート７１を、この第１切り込み７１ａと直交して水平に切り込むことによって第２切り込み７１ｂが形成された状態となっている。
【０１５７】
また、これら第１切り込み７１ａおよび第２切り込み７１ｂは、第１切り込み７１ａから防水シート７１を両側にめくって、前記下がり壁を形成する建築用壁パネル７２の側端面を当接させる前記建築用壁パネル７０の外側面を露出させるために形成される。
また、前記第２切り込み７１ｂは、後述する止水プレート７３ｂの一部を設けるためにも必要な加工である。
【０１５８】
一方、前記建築用壁パネル７２の表面に設けられる防水材は、図１６に示すように、防水シート７３ａと、前記一方の建築用壁パネル７０の表面側にはみ出し、かつ該はみ出し部分７３ｄの下部７３ｅが前記建築用壁パネル７２の下面よりも下方に位置するようにして、前記建築用壁パネル７２の基端部の下端に取り付けられる止水プレート７３ｂとである。
【０１５９】
この止水プレート７３ｂは、前記下がり壁を形成する建築用壁パネル７２の基端部の下端を被覆するようにして設けられる断面略コ字型の被覆部７３ｃと、この被覆部７３ｃの端部に設けられるとともに、前記一方の建築用壁パネル７０の表面側にはみ出す前記はみ出し部７３ｄとを備えており、このはみ出し部７３ｄの下部７３ｅは、前記下がり壁を形成する建築用壁パネル７２の下面よりも下方に位置し、前記第２切り込み７１ｂから外部へと露出し、前記防水シート７１の表面に当接される。
なお、この止水プレート７３ｂは、例えば、裏面に粘着剤を塗布して使用される。
また、本実施の形態の止水プレート７３ｂは金属製のものを用いるが、これに限られるものではなく、樹脂製のものでもよい。
【０１６０】
次に、建物１の下がり壁付近を施工する方法について説明する。
まず、予め、前記防水シート７１を、前記建築用壁パネル７０の外側面に貼り付けておく。そして、この防水シート７１を適宜切り込むことによって、前記第１切り込み７１ａと、第２切り込み７１ｂとを形成する。
そして、前記第１切り込み７１ａから防水シート７１を両側にめくって、前記下がり壁を形成する建築用壁パネル７２が接合される部分を露出させておく。この時、前記下がり壁を形成する建築用壁パネル７２の表面に設けられた防水シート７３ａの前記建築用壁パネル７０側端部をめくって、この下がり壁を形成する建築用壁パネル７２の基端部の表面を露出させておく。
【０１６１】
続いて、図１６に示すように、前記外壁を構成する建築用壁パネル７０に対して、前記下がり壁を形成する建築用壁パネル７２を、前記建築用壁パネル７０の外側面から突出するようにして接合する。
【０１６２】
続いて、前記外壁を構成する建築用壁パネル７０と、前記下がり壁を形成する建築用壁パネル７２との接合部で、前記止水プレート７３ｂを、この止水プレート７３ｂのはみ出し部分７３ｄを、前記建築用壁パネル７０の露出した表面に当接させるとともに、このはみ出し部分７３ｄの下部７３ｅを前記建築用壁パネル７０の防水シート７１の表面に当接させながら、前記他方の建築用壁パネル７２の基端部の下端に取り付ける。
【０１６３】
その後、前記建築用壁パネル７０と、前記下がり壁を形成する建築用壁パネル７２との接合部で、めくっておいた双方の建築用壁パネル７０，７２の防水シート７１，７３ａを戻しながら、これら双方の防水シート７１，７３ａ同士を重ね合わせ、これら双方の防水シート７１，７３ａを前記止水プレート７３ｂに被せる。
【０１６４】
そして、重ね合わされた防水シート７１，７３ａ同士の境目を塞ぐようにしてジョイントテープ７４を貼着し、これら防水シート７１と防水シート７３ａとをジョイントする。
さらに、重ね合わされた防水シート７１と止水プレート７３ｂとの境目と、前記第２切り込み７１ｂの両側端を塞ぐようにして、かつ前記止水プレート７３ｂのはみ出し部７３ｄの下部７３ｅの両側端部に沿ってジョイントテープ７４を貼着し、前記防水シート７１と止水プレート７３ｂとをジョイントする。
【０１６５】
本実施の形態によれば、前記一方の建築用壁パネル７０の防水シート７１をめくって、前記一方の建築用壁パネル７０の表面のうち、該一方の建築用壁パネル７０に対して他方の建築用壁パネル７２が接合される部分を露出させるとともに、前記他方の建築用壁パネル７２の防水シート７３ａをめくって、前記他方の建築用壁パネル７２の基端部の表面を露出させてから、前記一方の建築用壁パネル７０に対して他方の建築用壁パネル７２を接合するので、これら一方の建築用壁パネル７０と他方の建築用パネル７２とを確実に接合できる。
その後、これら一方の建築用壁パネル７０と他方の建築用壁パネル７２との接合部で、前記止水プレート７３ｂを、この止水プレート７３ｂのはみ出し部分７３ｄを前記一方の建築用壁パネル７０の露出した表面に当接させるとともに、このはみ出し部分７３ｄの下部７３ｅを前記一方の建築用壁パネル７０の防水シート７１の表面に当接させながら、前記他方の建築用壁パネル７２の基端部の下端に取り付けるので、この他方の建築用壁パネル７２の基端部の下端と前記一方の建築用壁パネル７０の防水シート７１との間を、少なくとも二重に防水できる。
さらに、前記一方の建築用壁パネル７０と他方の建築用パネル７２との接合部で、めくっておいた一方および他方の建築用壁パネル７０，７２の防水シート７１，７３ａを戻しながら、これら一方の防水シート７１と他方の防水シート７３ａとを重ね合わせ、これら一方および他方の防水シート７１，７３ａを前記止水プレート７３ｂに被せるので、該接合部を、少なくとも二重に防水できる。
これによって、前記一方の建築用壁パネル７０と他方の建築用パネル７２との接合部において優れた防水性を発揮できる。
また、このような方法で、前記一方の建築用パネル７０と他方の建築用パネル７２との接合部を防水できるので、これら一方の建築用壁パネル７０に対して他方の建築用壁パネル７２を接合して形成される下がり壁や袖壁等が設けられる部分にも確実に適用することができる。
【０１６６】
なお、上述の第６および第７の実施の形態では、手摺壁や下がり壁を形成するための建築用壁パネルを、建物１の外壁を形成する建築用壁パネルに対して直交して接合する場合について説明をしたが、従来は、必ずしも統一された施工方法が採用されていたとは言えず、各現場や各施工業者によって施工方法が異なる場合があった。
しかしながら、以上のように、表面に防水材が設けられる一方の建築用壁パネルと、表面に防水材が設けられる他方の建築用壁パネルとを接合して住宅等の建物１を施工する際は、一方の建築用壁パネルの表面のうち、この建築用壁パネルに対して他方の建築用壁パネルが接合される部分を露出させ、露出した一方の建築用壁パネルの表面に他方の建築用壁パネルを接合し、これら一方の建築用壁パネルと他方の建築用壁パネルとの接合部で、一方の建築用壁パネルの防水材と他方の建築用壁パネルの防水材とを重ね合わせるようにして行うこととしたので、各現場や各施工業者によって施工方法が異なる場合などをなくし、建物の施工方法を統一することが可能となる。
【符号の説明】
【０１６７】
１  建物
１０  一方の建築用パネル（一方の建築用壁パネル）
１１  防水材（防水シート）
１２  他方の建築用パネル（他方の建築用壁パネル）
１３  防水材（防水シート）
２０  一方の建築用パネル（一方の建築用壁パネル）
２０ａ  外装材
２１  防水材（防水シート）
２２  他方の建築用パネル（他方の建築用壁パネル）
２２ａ  外装材
２３  防水材（防水シート）
３０  一方の建築用パネル（一方の建築用壁パネル）
３１  防水材（防水シート）
３２  他方の建築用パネル（他方の建築用壁パネル）
３３  防水材（防水シート）
４０  一方の建築用パネル（建築用壁パネル）
４１  防水材（防水シート）
４１ａ  切り込み
４２  他方の建築用パネル（建築用屋根パネル）
４３  防水材（耐水シート）
４３ａ  はみ出し部
４３ｂ  上部
５０  一方の建築用パネル（建築用壁パネル）
５１  防水材（防水シート）
５１ａ  切り込み
５２  他方の建築用パネル（建築用屋根パネル）
５３  防水材（耐水シート）
５３ａ  はみ出し部
５３ｂ  上部
６０  一方の建築用パネル（一方の建築用壁パネル）
６１  防水材（防水シート）
６２  他方の建築用パネル（他方の建築用壁パネル）
６３  防水材
６３ａ  防水シート
６３ｂ  止水プレート
６３ｄ  はみ出し部
６３ｅ  上部
７０  一方の建築用パネル（一方の建築用壁パネル）
７１  防水材（防水シート）
７２  他方の建築用パネル（他方の建築用壁パネル）
７３  防水材
７３ａ  防水シート
７３ｂ  止水プレート
７３ｄ  はみ出し部
７３ｅ  下部
【図１】
0005639253.tif 000002
【図２】
0005639253.tif 000003
【図３】
0005639253.tif 000004
【図４】
0005639253.tif 000005
【図５】
0005639253.tif 000006
【図６】
0005639253.tif 000007
【図７】
0005639253.tif 000008
【図８】
0005639253.tif 000009
【図９】
0005639253.tif 000010
【図１０】
0005639253.tif 000011
【図１１】
0005639253.tif 000012
【図１２】
0005639253.tif 000013
【図１３】
0005639253.tif 000014
【図１４】
0005639253.tif 000015
【図１５】
0005639253.tif 000016
【図１６】
0005639253.tif 000017